(57)【特許請求の範囲】
【請求項１】
刃部を有する切断刃と、
前記刃部が接触可能な接触面を有する受台であって、前記接触面は、前記刃部と接触する二つの部位が凹部を挟んで並ぶ第一接触面と、前記刃部と接触する部位が連続する第二接触面とを含む受台と、
正方向及び逆方向に回転するモータと、
前記切断刃を移動可能に支持する機構であって、前記モータが前記正方向及び前記逆方向に回転する夫々の場合に、前記モータの回転に連動して、前記切断刃を、前記刃部が前記接触面から離間する離間位置と、前記刃部が前記接触面と接触する接触位置との間で移動させる切断刃移動機構と、
前記受台を支持する支持部と前記支持部を揺動可能に支持する第一支点部とを有し、前記モータの回転に連動して、前記第一支点部を支点として前記支持部が揺動することにより、前記受台を、前記第一接触面と前記第二接触面とのうち一方の面が前記刃部と対向する第一対向位置から、前記第一接触面と前記第二接触面とのうち他方の面が前記刃部と対向する第二対向位置まで揺動させる機構であって、前記モータが前記正方向へ回転する場合に、前記モータの駆動力が前記受台に伝達することを規制し、前記受台が前記第一対向位置で停止する状態を維持する一方、前記モータが前記逆方向へ回転する場合に、前記駆動力が前記受台に伝達することを許容し、前記第一支点部を支点として前記支持部が揺動することにより、前記受台を、前記第一対向位置から前記第二対向位置まで揺動させる受台揺動機構と
を備えたことを特徴とする切断装置。
【請求項２】
前記切断刃移動機構は、
前記モータが前記正方向及び前記逆方向に回転する夫々の場合に、所定角度回転することにより、前記切断刃を前記離間位置と前記接触位置との間で移動させる第一回転部材と、
前記第一回転部材を押圧することにより前記第一回転部材を回転させることが可能な押圧部を有し、前記モータの回転に連動して、初期位置、第一終了位置、中間位置、及び第二終了位置に回転可能な部材であって、前記モータの前記正方向の回転に連動して、前記初期位置から前記第一終了位置まで第一回転方向に第一回転角度回転しながら、前記押圧部で前記第一回転部材を押圧することにより前記第一回転部材を前記所定角度回転させ、前記モータの前記逆方向の回転に連動して、前記初期位置から前記中間位置まで前記第一回転方向とは反対の第二回転方向に第二回転角度回転する場合、前記押圧部は前記第一回転部材から離間し、前記モータの前記逆方向の回転に連動して、前記中間位置から前記第二終了位置まで前記第二回転方向に第三回転角度回転しながら、前記押圧部で前記第一回転部材を押圧することにより前記第一回転部材を前記所定角度回転させる第二回転部材と
を備え、
前記受台揺動機構は、
前記第二回転部材のうち、回転中心となる軸部が延びる所定方向と交差する面に形成されたカム面であって、前記第一回転方向に延び、前記第二回転方向の第一端部及び前記第一回転方向の第二端部を有する第一カム面と、前記第二端部から前記第一回転方向に沿って前記所定方向に、前記第一回転方向に対して傾斜して延び、前記第二回転方向の第三端部及び前記第一回転方向の第四端部を有する第二カム面と、前記第四端部から前記第一回転方向に延び、前記第二回転方向の第五端部及び前記第一回転方向の第六端部を有する第三カム面とを含むカム面と、
前記支持部のうち前記第一支点部に対して前記受台とは反対側となる部位に設けられ、前記カム面に対して摺動する部位であって、前記第一カム面に対して摺動している場合に前記受台を前記第一対向位置に位置させ、前記第三カム面に対して摺動している場合に前記受台を前記第二対向位置に位置させる摺動部と
を備え、
前記第一端部から前記第二端部まで前記第一回転方向に沿って至る形成角度である第一カム角度は、前記第一回転角度以上であり、
前記第三端部から前記第四端部まで前記第一回転方向に沿って至る形成角度である第二カム角度は、前記第二回転角度以下であり、
前記第五端部から前記第六端部まで前記第一回転方向に沿って至る形成角度である第三カム角度は、前記第三回転角度以上であることを特徴とする請求項１に記載の切断装置。
【請求項３】
切断対象物を前記受台に対して特定方向に案内する案内部を備え、
前記離間位置にある前記切断刃は、前記案内部によって案内された前記切断対象物を、前記接触面との間で挟み、
前記支持部は、前記案内部の前記特定方向の側で前記受台を支持することを特徴とする請求項１又は２に記載の切断装置。
【請求項４】
前記一方の面は、前記第一接触面であり、
前記他方の面は、前記第二接触面であることを特徴とする請求項１から３のいずれかに記載の切断装置。
【請求項５】
前記支持部は、前記受台の重心位置よりも上方で、前記受台を揺動可能に支持する第二支点部を備えたことを特徴とする請求項１から４のいずれかに記載の切断装置。
【請求項６】
請求項１から５のいずれかに記載の切断装置と、
切断対象物を印刷する印刷手段と、
前記印刷手段が印刷した前記切断対象物を、前記切断装置に供給する供給手段と
を備えたことを特徴とする印刷装置。
【発明の詳細な説明】
【技術分野】
【０００１】
本発明は、切断装置と、切断装置を備えた印刷装置とに関する。
【背景技術】
【０００２】
従来、切断対象物をフルカット及びハーフカットする切断装置が知られている。フルカットは、切断対象物を二つ以上に切断する動作である。ハーフカットは、切断対象物をその一部を残して切断する動作である。例えば、特許文献１に記載の切断装置は、カッター受けとカッター刃とを備える。カッター受けは、平面がカッター刃と対向する第一状態と、上下に突起が設けられた面がカッター刃と対向する第二状態とに切り替わる。
【先行技術文献】
【特許文献】
【０００３】
【特許文献１】特開２００５−３２４４０４号公報
【発明の概要】
【発明が解決しようとする課題】
【０００４】
上記切断装置が、カッター刃を移動させるモータと、カッター受けを第一状態及び第二状態に切り替えるモータとを備えることが考えられる。この場合、切断装置の機構が複雑になる可能性がある。
【０００５】
本発明の目的は、簡易な構成でハーフカットとフルカットができる切断装置及び印刷装置を提供することである。
【課題を解決するための手段】
【０００６】
本発明の第一態様に係る切断装置は、刃部を有する切断刃と、前記刃部が接触可能な接触面を有する受台であって、前記接触面は、前記刃部と接触する二つの部位が凹部を挟んで並ぶ第一接触面と、前記刃部と接触する部位が連続する第二接触面とを含む受台と、正方向及び逆方向に回転するモータと、前記切断刃を移動可能に支持する機構であって、前記モータが前記正方向及び前記逆方向に回転する夫々の場合に、前記モータの回転に連動して、前記切断刃を、前記刃部が前記接触面から離間する離間位置と、前記刃部が前記接触面と接触する接触位置との間で移動させる切断刃移動機構と、前記受台を支持する支持部と前記支持部を揺動可能に支持する第一支点部とを有し、前記モータの回転に連動して、前記第一支点部を支点として前記支持部が揺動することにより、前記受台を、前記第一接触面と前記第二接触面とのうち一方の面が前記刃部と対向する第一対向位置から、前記第一接触面と前記第二接触面とのうち他方の面が前記刃部と対向する第二対向位置まで揺動させる機構であって、前記モータが前記正方向へ回転する場合に、前記モータの駆動力が前記受台に伝達することを規制し、前記受台が前記第一対向位置で停止する状態を維持する一方、前記モータが前記逆方向へ回転する場合に、前記駆動力が前記受台に伝達することを許容し、前記第一支点部を支点として前記支持部が揺動することにより、前記受台を、前記第一対向位置から前記第二対向位置まで揺動させる受台揺動機構とを備えたことを特徴とする。
【０００７】
第一態様によれば、切断装置は、モータを正方向に回転させることで、第一対向位置にある受台と、刃部との間に切断対象物を挟み込みカットする。一方、切断装置は、モータを逆方向に回転させることで、第二対向位置にある受台と、刃部との間に切断対象物を挟み込みカットする。これにより、切断装置は、ハーフカット及びフルカットできる。切断装置は、切断刃、受台、及びモータを夫々一つ有するだけで、ハーフカット及びフルカットができる。よって、切断装置は、簡易な構成でハーフカット及びフルカットができる。
【０００８】
本発明の第二態様に係る印刷装置は、前記切断装置と、切断対象物を印刷する印刷手段と、前記印刷手段が印刷した前記切断対象物を、前記切断装置に供給する供給手段とを備えたことを特徴とする。第二態様によれば、第一態様と同様の効果を奏することができる。
【図面の簡単な説明】
【０００９】
【図１】印刷装置１の斜視図である。
【図２】本体ケース１１内部の平面図である。
【図３】切断機構１００を左前方から見た斜視図である。
【図４】切断機構１００を右前方から見た斜視図である。
【図５】間欠ギヤ１３６及び回転部材１０６の断面斜視図である。
【図６】受台１８０が第一対向位置にある受台支持部１５０の斜視図である。
【図７】カム部材１５８の斜視図である。
【図８】支持部材１６８の断面斜視図である。
【図９】初期状態にある切断機構１００の左側面図である。
【図１０】ハーフカット終了時の切断機構１００の左側面図である。
【図１１】大径チューブ９Ａがハーフカットされる流れを示す説明図である。
【図１２】小径チューブ９Ｂがハーフカットされる流れを示す説明図である。
【図１３】受台１８０が第二対向位置にある受台支持部１５０の斜視図である。
【図１４】フルカット終了時の切断機構１００の左側面図である。
【図１５】大径チューブ９Ａがフルカットされる流れを示す説明図である。
【図１６】切断機構５００を左前方から見た斜視図である。
【図１７】切断機構５００を右前方から見た斜視図である。
【図１８】回転部材１０６を右方から見た斜視図である。
【図１９】回転部材１０６の右側面図である。
【図２０】第一対向位置における受台１８０の正面図である。
【図２１】第二対向位置における受台１８０の正面図である。
【図２２】ＤＣモータ１０４が正方向に回転した場合のリンク部材２２０及びカム部２１５の回転態様を示す左側面図である。
【図２３】ＤＣモータ１０４が逆方向に回転した場合のリンク部材２２０及びカム部２１５の回転態様を示す左側面図である。
【図２４】図２３からさらにＤＣモータ１０４が逆方向に回転した場合のリンク部材２２０及びカム部２１５の回転態様を示す左側面図である。
【図２５】第二支点部６００を備えた支持部５８０による受台１８０の揺動態様を示す背面図である。
【発明を実施するための形態】
【００１０】
＜１．印刷装置１の概要＞
本発明の実施形態の一例である印刷装置１を、図面を参照して説明する。以下、図１の上方、下方、右下方、左上方、右上方、及び左下方を、各々、印刷装置１の上方、下方、前方、後方、右方、及び左方向と定義して説明する。
【００１１】
図１及び図２に示す印刷装置１は、筒状の印刷媒体であるチューブ９を印刷し、且つ印刷後のチューブ９を切断可能な装置である。印刷装置１は、印刷後のチューブ９を、ハーフカット又はフルカットする。本例のフルカットは、周方向に亘ってチューブ９を切断し、チューブ９を二つ以上に切り離す動作である。本例のハーフカットは、周方向の一部を残してチューブ９を切断する動作である。以下、ハーフカット及びフルカットを総称して切断動作という場合がある。
【００１２】
本例のチューブ９は、大径チューブ９Ａ（図１１参照）と小径チューブ９Ｂ（図１２参照）を含む。大径チューブ９Ａは、外径を７．５ｍｍ、内径を６．５ｍｍとするチューブである。小径チューブ９Ｂは、外径を４．５ｍｍ、内径を４ｍｍとするチューブである。
【００１３】
図１に示すように、印刷装置１は、本体ケース１１及びカバー１２を含む筐体１０を備える。本体ケース１１は、左右方向に長い直方体状の箱状部材である。カバー１２は、本体ケース１１の上側に配置された板状部材である。カバー１２の後端部は、本体ケース１１の後端部上側で回転可能に支持される。ロック機構１３は、本体ケース１１の前端部上側に設けられる。ロック機構１３は、本体ケース１１に対して閉じられたカバー１２の前端部を係止して、カバー１２の開放を規制する。
【００１４】
カバー１２が本体ケース１１に対して閉じられた場合（図１参照）、カバー１２は装着面１１Ａ（図２参照）を覆う。装着面１１Ａは、本体ケース１１の上面である。ユーザはカバー１２を開く場合、ロック機構１３を操作してカバー１２の係止を解除し、カバー１２をロック機構１３から上側に回動させる。カバー１２が本体ケース１１に対して開かれた場合、装着面１１Ａは上方に露出する（図２参照）。
【００１５】
筐体１０の側面には、操作部１７、チューブ挿入口１５（図２参照）、及びチューブ排出口１６が設けられる。操作部１７は、電源ボタン及びスタートボタンを含む複数の操作ボタンである。操作部１７は、本体ケース１１の前面の右側上部に設けられる。チューブ挿入口１５は、チューブ９を筐体１０の内部に案内するための開口である。チューブ挿入口１５は、本体ケース１１の右面の後側上部に設けられ且つ上下方向に若干長い矩形状である。チューブ排出口１６は、チューブ９を筐体１０の外部に排出するための開口である。チューブ排出口１６は、本体ケース１１の左面の後側上部に設けられ、且つ上下方向に若干長い矩形状である。チューブ排出口１６は、チューブ挿入口１５よりも若干前側にある。
【００１６】
図２に示すように、装着面１１Ａには、リボン装着部３０及びチューブ装着部４０等が設けられる。リボン装着部３０は、リボンカセット９０を着脱可能な部位である。リボン装着部３０は、平面視でリボンカセット９０と略対応する開口形状で形成された、上方に開口する凹部である。本例のリボン装着部３０は、装着面１１Ａの左部、且つチューブ装着部４０の前側に設けられる。
【００１７】
チューブ装着部４０は、チューブ９を着脱可能な部位である。チューブ装着部４０は、チューブ挿入口１５からチューブ排出口１６の右側近傍まで延びる、上方に開口する溝部である。チューブ排出口１６はチューブ挿入口１５よりも若干前側にあるため、チューブ装着部４０は若干左前側に傾いて略左右方向に延びる。チューブ挿入口１５からチューブ排出口１６に向けてチューブ装着部４０が延びる方向を、チューブ搬送方向という。チューブ搬送方向は、左右方向及び前後方向と平行であり、上下方向と直交する。チューブ搬送方向と直交するチューブ装着部４０の開口断面は、チューブ装着部４０とリボン装着部３０とが空間的に繋がる部位を除いて、チューブ９の延伸方向と直交する断面（即ち、チューブ９の横断面）よりも僅かに大きい。ユーザは、チューブ９がチューブ挿入口１５からチューブ排出口１６まで延びるように、チューブ９をチューブ搬送方向に沿ってチューブ装着部４０に装着する。
【００１８】
図２を参照して、制御基板１９、電源部（図示外）、チューブ印刷機構６０、リボンカセット９０を説明する。制御基板１９は、図示外のＣＰＵ、ＲＯＭ、ＲＡＭ等が設けられた基板であり（図１６参照）、印刷装置１の各種動作を制御する。例えば制御基板１９は、チューブ印刷機構６０の印刷動作を制御する。本例の制御基板１９は、本体ケース１１（図３参照）の内部における右後部に設けられ、且つ上下方向及び左右方向に延びる。電源部は、本体ケース１１内に装着された電池（図示外）に接続され、又はコードを介して外部電源（図示外）に接続され、印刷装置１に電源を供給する。本例の電源部は、制御基板１９の前側に設けられる。
【００１９】
リボンカセット９０は、インクリボン９３を収容可能な箱状体である。リボンロール９１及びリボン巻取スプール９２は、リボンカセット９０内で夫々回転自在に支持される。リボンロール９１は、スプール（図示外）に巻回された未使用のインクリボン９３である。リボン巻取スプール９２は、使用済みのインクリボン９３が巻回されるスプールである。
【００２０】
チューブ印刷機構６０は、印刷ヘッド６１、可動搬送ローラ６２、リボン巻取軸６３、駆動モータ（図示外）等を含む。印刷ヘッド６１及びリボン巻取軸６３は、リボン装着部３０の底面から上方に向けて夫々立設される。印刷ヘッド６１は、リボン装着部３０の後部に設けられた、発熱体（図示外）を備えるサーマルヘッドである。リボン巻取軸６３は、リボン巻取スプール９２を回転可能な軸である。
【００２１】
可動搬送ローラ６２は、印刷ヘッド６１に相対して回転可能なローラである。可動搬送ローラ６２は、リボン装着部３０の後側に配置され、カバー１２（図１参照）の開閉に伴って作動位置と退避位置とに変位可能である。可動搬送ローラ６２が作動位置にある場合、可動搬送ローラ６２はチューブ装着部４０の内側に配置されて、印刷ヘッド６１に近接する。可動搬送ローラ６２が退避位置にある場合、可動搬送ローラ６２はチューブ装着部４０の後側に配置されて、印刷ヘッド６１から離隔する。駆動モータ（図示外）は、可動搬送ローラ６２及びリボン巻取軸６３を回転駆動するモータである。
【００２２】
カバー１２が開かれると、可動搬送ローラ６２は退避位置に変位する。リボン装着部３０にリボンカセット９０が装着されると、リボン巻取軸６３はリボン巻取スプール９２に挿入される。その後、カバー１２が綴じられると、可動搬送ローラ６２は作動位置に変位する。可動搬送ローラ６２は、チューブ装着部４０にあるチューブ９と未使用のインクリボン９３とを重ねて、印刷ヘッド６１に向けて付勢する。このときチューブ９は、可動搬送ローラ６２の付勢力によって弾性変形して、インクリボン９３を介して印刷ヘッド６１と面接触する。
【００２３】
チューブ印刷機構６０は、制御基板１９の制御に従って、以下の印刷動作を実行する。チューブ印刷機構６０の駆動モータは、可動搬送ローラ６２及びリボン巻取軸６３を回転させる。可動搬送ローラ６２の回転に伴って、チューブ装着部４０内にあるチューブ９は、チューブ搬送方向の下流側に搬送される。このとき、筐体１０の外部にある印刷前のチューブ９は、チューブ挿入口１５を介して、本体ケース１１の右面から、チューブ装着部４０内に引き込まれる。リボン巻取軸６３の回転に伴ってリボン巻取スプール９２が回転することで、インクリボン９３がリボンロール９１から引き出される。
【００２４】
印刷ヘッド６１は、引き出されたインクリボン９３を使用して、搬送されるチューブ９にキャラクタを印刷する。本例の印刷ヘッド６１は、その後側を経由するチューブ９の前面にキャラクタを正像印刷する。従ってチューブ９の前面が、チューブ９の印刷面である。使用済みのインクリボン９３は、リボン巻取スプール９２に巻き取られる。印刷後のチューブ９は、可動搬送ローラ６２からチューブ搬送方向の下流側に搬送される。
チューブ９は、チューブ装着部４０の左端部及びチューブ排出口１６を経由して、本体ケース１１から排出される。
【００２５】
＜２．切断機構１００の構造及び動作概要＞
図２に示すように、チューブ装着部４０の左端部とチューブ排出口１６との間には、切断機構１００が設けられる。切断機構１００は、印刷後のチューブ９に対して切断動作を実行する機構である。切断機構１００の概要は以下の通りである。切断機構１００は、切断刃２７５（図１１参照）と受台１８０を備える。切断刃２７５と受台１８０は、チューブ搬送経路９Ｃ（図３参照）を挟んで互いに対向配置される。チューブ搬送経路９Ｃは、チューブ装着部４０の左端部からチューブ排出口１６までチューブ９が搬送される経路であり、左右方向に延びる。切断機構１００は、受台１８０にチューブ９が配置された後に、切断刃２７５を受台１８０に向けて移動させる。切断刃２７５は受台１８０との間でチューブ９を挟み込む。切断刃２７５がチューブ９を受台１８０に向けて押圧することによって、チューブ９に対する切断動作は実行される。尚、切断機構１００は、受台１８０の左右方向の位置を切り替えることによって、チューブ９に対する切断動作を、ハーフカット又はフルカットに切り替える。
【００２６】
図３に示すように、切断機構１００は、位置決め部１９０（図２参照）、駆動部１１０、受台移動機構１２０、及び切断刃移動機構２００を備える。位置決め部１９０は、印刷後のチューブ９を、上下方向に位置決めし且つ受台１８０に向けて案内する。駆動部１１０は、受台移動機構１２０及び切断刃移動機構２００を駆動する。受台移動機構１２０は、受台１８０を左右方向に直線移動可能に支持する機構である。切断刃移動機構２００は、切断刃２７５（図１１参照）を前後方向に移動可能に支持する機構である。
【００２７】
＜２−１．位置決め部１９０＞
図２に示すように、位置決め部１９０は、チューブ装着部４０の左端部よりも、チューブ搬送方向の下流側に配置される。位置決め部１９０は、底壁部１９２、後壁部１９４、及び前壁部１９６を備える。底壁部１９２は、チューブ装着部４０の底部と略同じ高さに配置された壁部である。底壁部１９２の形状は、平面視で略矩形状である。底壁部１９２は、チューブ９に対して下側から接触し、チューブ９の下側への移動を規制する。これにより、底壁部１９２は、切断機構１００に供給されるチューブ９の上下方向位置を位置決め可能である。以下、底壁部１９２によって位置決めされたチューブ９の下端の上下方向位置を、基準位置Ｐ（図１１参照）という。
【００２８】
後壁部１９４及び前壁部１９６は、夫々、底壁部１９２の後端部及び前端部から上方に立設する壁部である。後壁部１９４と前壁部１９６は、チューブ搬送経路９Ｃを挟んで互いに対向する。後壁部１９４と前壁部１９６との対向距離は、大径チューブ９Ａの外径よりも若干長い。
【００２９】
＜２−２．駆動部１１０＞
図３及び図４に示すように、駆動部１１０は、チューブ搬送経路９Ｃよりも下側に設けられる。駆動部１１０は、支持板部１０２、ＤＣモータ１０４、及びギヤ群１０５（図５参照）を備える。支持板部１０２は、第一板部１０２Ａ、第二板部１０２Ｂ、及び第三板部１０２Ｃ（図４参照）を備える。第一板部１０２Ａは、上下方向及び前後方向に延びる板状体である。第二板部１０２Ｂは、第一板部１０２Ａの上端部から右方に延びる板状体である。第二板部１０２Ｂの上面には、左右方向及び前後方向に延びる板体９９（図９参照）が取り付けられる。第三板部１０２Ｃ（図４参照）は、第二板部１０２Ｂの右端部のうち後部から、下方に延びる板状体である。第二板部１０２Ｂの後部には、上下方向に貫通する開口部１０２Ｄ（図４参照）が設けられる。
【００３０】
ＤＣモータ１０４は、第一板部１０２Ａの右面の前部に固定される。ＤＣモータ１０４の出力軸は、第一板部１０２Ａを貫通する。ＤＣモータ１０４の出力軸の先端部には、モータギヤ１０４Ａが設けられる。
【００３１】
ギヤ群１０５（図５参照）は、複数のギヤを含む。複数のギヤは、夫々、第一板部１０２Ａの左面から左方に延びる軸部に、回転可能に設けられた複数のギヤを含む。尚、図３では、複数のギヤのうち幾つかのギヤの図示を省略する（図５も同様）。
【００３２】
図５に示すように、ギヤ群１０５は、モータギヤ１０４Ａ及び第一ギヤ部１０９を互いに連結する。第一ギヤ部１０９は、右側面視で環状である。第一ギヤ部１０９は、左右方向に厚みを有する円板状の部材である回転部材１０６の右部に、一体的に形成される。回転部材１０６は、左右方向に延びる回転軸部１０３によって回転可能に支持される。回転軸部１０３は、第一板部１０２Ａの左面の後部に固定される。ＤＣモータ１０４の駆動力がモータギヤ１０４Ａ及びギヤ群１０５を介して伝達されることによって、第一ギヤ部１０９は回転軸部１０３を中心に回転する。
【００３３】
回転部材１０６は、第二ギヤ部１０１を含む。第二ギヤ部１０１は、回転部材１０６の右部のうち、第一ギヤ部１０９の内側に形成される。第二ギヤ部１０１は、回転軸部１０３を中心に、第一ギヤ部１０９と共に回転する。
【００３４】
＜２−３．受台移動機構１２０＞
図４〜図８を参照し、受台移動機構１２０を説明する。受台移動機構１２０は、駆動伝達部１３０及び受台支持部１５０を備える。駆動伝達部１３０は、ＤＣモータ１０４と連結する。受台支持部１５０は、駆動伝達部１３０が伝達する駆動力によって、受台１８０を左右方向に移動させる。
【００３５】
尚、図３では、駆動伝達部１３０のうち、後述の保持部材１５２、カム駆動ギヤ１５６、及びカム部材１５８の図示を省略する。図４では、駆動伝達部１３０のうち、後述の支軸１３２、ギヤ１３４、及び間欠ギヤ１３６の図示を省略する。
【００３６】
＜２−３−１．駆動伝達部１３０＞
図４及び図５に示すように、駆動伝達部１３０は、支軸１３２、ギヤ１３４（図５参照）、間欠ギヤ１３６、保持部材１５２（図４参照）、第一軸部１５４（図４参照）、カム駆動ギヤ１５６（図４参照）、及びカム部材１５８（図６参照）を備える。支軸１３２は、第一板部１０２Ａ及び第三板部１０２Ｃによって回転可能に支持される、左右方向に延びる軸部である。支軸１３２は、第一板部１０２Ａよりも左側まで延びる。
【００３７】
ギヤ１３４は、第一板部１０２Ａよりも左側で、支軸１３２によって支持される。ギヤ１３４は、第二ギヤ部１０１と噛み合う。従って、ＤＣモータ１０４の回転に伴って上述した第一ギヤ部１０９が回転すると、第二ギヤ部１０１は支軸１３２を回転させる。
【００３８】
間欠ギヤ１３６は、第一板部１０２Ａと第三板部１０２Ｃの間で、支軸１３２によって支持される。間欠ギヤ１３６の周面の一部は、第二板部１０２Ｂの開口部１０２Ｄから上方に露出する。
【００３９】
間欠ギヤ１３６は、支軸１３２と共に回転可能である。以下、間欠ギヤ１３６の支軸１３２を中心とした回転方向のうち、右側面視で反時計回り方向を第一回転方向といい、第一回転方向とは反対方向を第二回転方向という。第一回転方向は、図４で示す矢印Ａ１が向く方向である。第二回転方向は、図４で示す矢印Ａ２が向く方向である。ＤＣモータ１０４が正方向に回転する場合、間欠ギヤ１３６は第一回転方向に回転する。ＤＣモータ１０４が、正方向とは反対方向である逆方向に回転する場合、間欠ギヤ１３６は第二回転方向に回転する。
【００４０】
図４に示すように、間欠ギヤ１３６は、周面のうち回転方向における一部に第一歯部１３６Ａが設けられる。第一歯部１３６Ａは、間欠ギヤ１３６の回転方向に沿って延びる。第一歯部１３６Ａは、端部１３６Ｂと端部１３６Ｃを備える。端部１３６Ｂは、第一歯部１３６Ａの第二回転方向（矢印Ａ２方向）の端部である。端部１３６Ｃは、第一歯部１３６Ａの第一回転方向（矢印Ａ１方向）の端部である。
【００４１】
本例の間欠ギヤ１３６の歯部形成角度は、７６°である。歯部形成角度は、端部１３６Ｂから端部１３６Ｃまで、第一回転方向に沿って至る回転角度である。歯部形成角度は、図４で示す角度αである。一方、本例の間欠ギヤ１３６の歯部未形成角度は、一例として２８４°である。歯部未形成角度は、端部１３６Ｂから端部１３６Ｃまで、第二回転方向に沿って至る回転角度である。歯部未形成角度は、図４で示す角度βである。
【００４２】
図４及び図６に示すように、保持部材１５２は、間欠ギヤ１３６に対して左上側に配置され、板体９９（図９参照）の上面に設けられる。保持部材１５２は、左板１５２Ａ、右板１５２Ｂ、及び下板１５２Ｃを備える。左板１５２Ａと右板１５２Ｂは、左右方向に沿って隙間を挟んで互いに対向する。左板１５２Ａと右板１５２Ｂは、いずれも、左右方向に厚みを有する、左側面視でＬの字状の板状体である。左板１５２Ａと右板１５２Ｂの内側角部は、チューブ搬送経路９Ｃ（図３参照）と近接する。
【００４３】
下板１５２Ｃは、左板１５２Ａと右板１５２Ｂの夫々の下端部を接続する。下板１５２Ｃの形状は、平面視略矩形状の板状体である。下板１５２Ｃは、チューブ搬送経路９Ｃの後側から前側まで延びる。
【００４４】
図６に示すように、第一軸部１５４は、左板１５２Ａと右板１５２Ｂの夫々の下部によって回転可能に支持される、左右方向に延びる軸部である。第一軸部１５４は、右板１５２Ｂの右側まで延びる。
【００４５】
カム駆動ギヤ１５６は、第一軸部１５４の右端部によって支持される。カム駆動ギヤ１５６は、第一軸部１５４を中心に回転可能である。カム駆動ギヤ１５６は、後壁部１９４（図２参照）の後側に位置する。カム駆動ギヤ１５６の周面には、第二歯部１５６Ａが設けられる。第二歯部１５６Ａは、カム駆動ギヤ１５６の回転方向に亘って延びる。第二歯部１５６Ａは、間欠ギヤ１３６の第一歯部１３６Ａと噛み合うことが可能である。
【００４６】
第二歯部１５６Ａが第一歯部１３６Ａ（図４参照）と噛み合うことによって、カム駆動ギヤ１５６は、間欠ギヤ１３６によって回転させられる。間欠ギヤ１３６が第二回転方向（図４の矢印Ａ２方向）に回転する場合、カム駆動ギヤ１５６は第三回転方向に回転する。第三回転方向は、図６で示す矢印Ａ３が向く方向である。間欠ギヤ１３６が第一回転方向（図４の矢印Ａ１方向）に回転する場合、カム駆動ギヤ１５６は第四回転方向に回転する。第四回転方向は、図６で示す矢印Ａ４が向く方向である。
【００４７】
カム部材１５８は、左板１５２Ａと右板１５２Ｂの間で、第一軸部１５４によって支持される。カム部材１５８は、円筒部１５９を備える。円筒部１５９は、左右方向に延びる。円筒部１５９の筒孔（図７参照）に、第一軸部１５４が挿入される。これにより、カム部材１５８は、カム駆動ギヤ１５６の回転に連動して、第一軸部１５４を中心に回転する。カム部材１５８の回転方向と、カム駆動ギヤ１５６の回転方向は、互いに一致する。
【００４８】
図７に示すように、円筒部１５９の外周面の右部には、カム部１６０が形成される。カム部１６０は、円筒部１５９と共に回転可能である。カム部１６０は、円筒部１５９の外周面の右部を、回転方向に亘って取り囲むように形成される。カム部１６０の左部の一部は、右方に向けて切り欠かれている。
【００４９】
カム部１６０は、カム面１６２を備える。カム面１６２は、カム部１６０の表面のうち、左方を向く部位と、第四回転方向（矢印Ａ４方向）を向く部位とに形成される。カム面１６２は、第一カム面１６２Ａ、第二カム面１６２Ｂ、及び第三カム面１６２Ｃを含む。
【００５０】
第一カム面１６２Ａは、第四回転方向に沿って左方向の側へ延びる。第一カム面１６２Ａの第一軸部１５４を中心とした形成角度は、８２°である。第二カム面１６２Ｂは、第一カム面１６２Ａの右端部と接続する。第二カム面１６２Ｂは、第一軸部１５４（図６参照）から離間する方向と、左右方向との夫々に延びる面である。第一カム面１６２Ａの左右方向長さと、第二カム面１６２Ｂの左右方向長さは互いに等しく、図７で示す距離Ｌに相当する。第三カム面１６２Ｃは、第一カム面１６２Ａの第四回転方向の端部と、第二カム面１６２Ｂの左端部とを接続する。第三カム面１６２Ｃは、第三回転方向及び第四回転方向と平行である。
【００５１】
カム部１６０の外周面には、特定カム面１６４が形成される。特定カム面１６４は、第三カム面１６２Ｃよりも右側に配置される。特定カム面１６４は、第二カム面１６２Ｂのうち、第一軸部１５４から離間する方向の端部から、第三回転方向に延びる。
【００５２】
＜２−３−２．受台支持部１５０＞
図６及び図８に示すように、受台支持部１５０は、支持棒１６１，１６３、摺動部材１７２、及び受台１８０を備える。支持棒１６１，１６３は、夫々、カム部材１５８の上方で左右方向に延びる。支持棒１６１，１６３は上側から順に配置される。支持棒１６１，１６３の左右方向の両端部は、夫々、左板１５２Ａと右板１５２Ｂに固定される。
【００５３】
支持部材１６８は、左板１５２Ａと右板１５２Ｂの間で、支持棒１６１，１６３によって左右方向に直線移動可能に支持される。支持部材１６８はカム部材１５８の上方に位置する。支持部材１６８の形状は、下側及び後側が開口する箱状である。
【００５４】
支持部材１６８は、左壁部１６８Ａ及び右壁部１６８Ｂを備える。左壁部１６８Ａと右壁部１６８Ｂは、左右方向に沿って隙間を挟んで互いに対向する。左壁部１６８Ａと右壁部１６８Ｂの夫々には、支持棒１６１，１６３が挿通される二つの穴部１６９が設けられる。
【００５５】
左壁部１６８Ａの二つ穴部１６９のうちで、上側にある穴部１６９の内側には、当接壁部（図示略）が設けられる。当接壁部は、左右方向に厚さを有する板状体であり、穴部１６９と同心の円形孔（図示略）が設けられる。円形孔には、支持棒１６３が挿通される。
【００５６】
支持部材１６８の可動範囲の左端位置は、左壁部１６８Ａが左板１５２Ａに当接する左右方向位置である（図１３参照）。支持部材１６８の可動範囲の右端位置は、右壁部１６８Ｂが右板１５２Ｂに当接する左右方向位置である（図３、図４、図６等参照）。
【００５７】
図８に示すように、摺動部材１７２は、左壁部１６８Ａ（図６参照）と右壁部１６８Ｂの間で、支持棒１６３によって回転可能に支持される。摺動部材１７２は、略直方体状である。摺動部材１７２の上部の左右方向長さは、右壁部１６８Ｂと左壁部１６８Ａとの対向距離よりも僅かに短い。摺動部材１７２は摺動部１７２Ａを備える。摺動部１７２Ａは支持部材１６８から下側に突出する。摺動部１７２Ａの下端部は、下側に向けて円弧状に湾曲する。摺動部１７２Ａは、カム面１６２又は特定カム面１６４に対して摺動可能である。
【００５８】
摺動部材１７２は、支持棒１６３を中心に第一回転位置と第二回転位置との間を回転可能である。第一回転位置は、摺動部１７２Ａがカム面１６２に対して摺動する摺動部材１７２の回転位置である。摺動部材１７２が第一回転位置にある場合、摺動部１７２Ａは、支持部材１６８から下方に突出する。第二回転位置は、摺動部１７２Ａが特定カム面１６４に対して摺動する摺動部材１７２の回転位置である。第二回転位置は、第一回転位置よりも、左側面視で時計回り方向に僅かに回転した位置である。図８では、第一回転位置にある摺動部材１７２を実線によって図示し、第二回転位置にある摺動部材１７２を二点鎖線によって図示する。
【００５９】
第一回転位置にある摺動部材１７２の前側には、規制部１６８Ｄが設けられる。規制部１６８Ｄは、右壁部１６８Ｂの左面の前側下部から、左方に向けて突出する。規制部１６８Ｄは、第一回転位置にある摺動部材１７２に対して前側から接触する。
【００６０】
図６に示すように、支持棒１６１，１６３には、夫々、コイルバネ１７１，１７３が挿通される。コイルバネ１７１は、穴部１６９に進入し、当接壁部（図示略）を右方に付勢する。コイルバネ１７３は、穴部１６９の内側を通過しており、摺動部材１７２を右方に付勢する。これにより、摺動部材１７２は右方に付勢される。付勢される摺動部材１７２は、第一回転位置にある場合、カム面１６２によって右方への移動を規制される。付勢される摺動部材１７２は、第二回転位置にある場合、右壁部１６８Ｂの左面によって右方への移動を規制される。
【００６１】
図３に示すように、受台１８０は、支持部材１６８の前端部に設けられる。受台１８０は、後壁部１９４（図２参照）の左方に位置する。即ち、受台１８０は位置決め部１９０に対してチューブ搬送方向の下流側に設けられる。受台１８０の形状は、略直方体状である。受台１８０の前端面は、切断刃２７５が接触可能な接触面１８３である。接触面１８３には、チューブ９が配置可能である。接触面１８３は、上下方向において、基準位置Ｐの上側から下側まで延びる（図１１、図１５参照）。
【００６２】
接触面１８３は、第一接触面１８１と第二接触面１８２を含む。第一接触面１８１は、第二接触面１８２よりも左側に設けられる。第一接触面１８１の上下方向の中央部には、チューブ９の周方向の一部が進入可能な退避溝１８７が設けられる。退避溝１８７は、第一接触面１８１のうち、上下方向において基準位置Ｐが含まれる部位に設けられる（図１１参照）。第一接触面１８１のうち、退避溝１８７よりも上側及び下側の夫々の部位は、平面状に形成された接触平面１８１Ａである。二つの接触平面１８１Ａは、左右方向及び上下方向に延びる。二つの接触平面１８１Ａは、互いに同一平面上にある。
【００６３】
図１１に示すように、退避溝１８７は、後方に向けて凹む凹部である。退避溝１８７の形状は、正面視で略矩形状である。退避溝１８７の前後方向の長さが、退避溝１８７の溝深さである。退避溝１８７は、第一面１８７Ａ、第二面１８７Ｂ、及び第三面１８７Ｃを備える。第一面１８７Ａは、二つの接触平面１８１Ａのうち上側にある接触平面１８１Ａの下端から、後方に延びる平面である。第二面１８７Ｂは、二つの接触平面１８１Ａのうち下側にある接触平面１８１Ａの上端から、後方に延びる平面である。第二面１８７Ｂの前後方向の長さは、第一面１８７Ａの前後方向の長さよりも長い。第三面１８７Ｃは、第一面１８７Ａと第二面１８７Ｂの夫々の後端を接続する平面である。第三面１８７Ｃは、退避溝１８７の溝底を形成する。第三面１８７Ｃは、上側に向かう程、前方に向かう方向に傾斜して直線状に延びる。即ち、第三面１８７Ｃのうち、基準位置Ｐよりも上側にある部位は、上方向に向けて接触平面１８１Ａ側に延びる。本例の退避溝１８７の最大溝深さは、０．５ｍｍ未満である。本例の最大溝深さは、第三面１８７Ｃの下端と接触平面１８１Ａとの左右方向における離間距離である。
【００６４】
図４に示すように、第二接触面１８２は、上下方向及び左右方向に延びる平面である。第二接触面１８２は、二つの接触平面１８１Ａと同一平面上にある。
【００６５】
受台１８０は、支持部材１６８に設けられるので、左右方向に直線移動可能である。受台１８０は、第一対向位置と第二対向位置との間を直線移動可能である。第一対向位置は、受台１８０の可動範囲の右端位置である。本例では、受台１８０が第一対向位置にある場合、第一接触面１８１が切断刃２７５と対向する。第二対向位置は、受台１８０の可動範囲の左端位置である。本例では、受台１８０が第二対向位置にある場合、第二接触面１８２が切断刃２７５と対向する。
【００６６】
＜２−３−３．受台移動機構１２０が初期状態にある場合の各種部材の位置関係＞
上記の構造を有する受台移動機構１２０が初期状態にある場合の、間欠ギヤ１３６、カム部材１５８、摺動部材１７２、支持部材１６８、及び受台１８０の位置関係を説明する。受台移動機構１２０の初期状態とは、切断機構１００が切断動作を開始する前の受台移動機構１２０の状態である。
【００６７】
受台移動機構１２０が初期状態にある場合、間欠ギヤ１３６は開始回転位置（図４参照）にある。開始回転位置は、端部１３６Ｂが第二歯部１５６Ａと噛み合う回転位置から、第一回転方向に僅かに回転した間欠ギヤ１３６の回転位置である。開始回転位置にある間欠ギヤ１３６は、カム駆動ギヤ１５６と噛み合わない。即ち、ＤＣモータ１０４の駆動力がカム駆動ギヤ１５６に伝達することが、規制される。
【００６８】
受台移動機構１２０が初期状態にある場合、カム部材１５８は、第二カム面１６２Ｂが、第一軸部１５４の略上方に配置される回転位置にある（図６参照）。受台移動機構１２０が初期状態にある場合、摺動部材１７２は第一回転位置にある（図８参照）。摺動部材１７２の摺動部１７２Ａは、コイルバネ１７３の付勢力によって、第一カム面１６２Ａの右端部に押圧される（図６参照）。このとき、摺動部材１７２の上部は、右壁部１６８Ｂの左面と接触する。支持部材１６８は可動範囲の右端位置で、コイルバネ１７１によって付勢される。支持部材１６８は、右板１５２Ｂによって右方への移動を規制される。このとき、受台１８０は、第一対向位置にある（図３参照）。
【００６９】
＜２−３−４．受台移動機構１２０の動作概要＞
受台移動機構１２０が初期状態にある場合にＤＣモータ１０４が正方向に回転すると、間欠ギヤ１３６（図４参照）は、第一回転方向（矢印Ａ１方向）に回転する。従って、間欠ギヤ１３６は、カム駆動ギヤ１５６と噛み合うことなく空転する。従って、受台移動機構１２０は、ＤＣモータ１０４の駆動力が、カム駆動ギヤ１５６に伝達することを規制する。
【００７０】
一方、受台移動機構１２０が初期状態にある場合に、ＤＣモータ１０４が逆方向に回転すると、間欠ギヤ１３６（図４参照）は、第二回転方向（矢印Ａ２方向）に回転する。間欠ギヤ１３６が第二回転方向への回転を開始した直後、第一歯部１３６Ａの端部１３６Ｂが、第二歯部１５６Ａと噛み合う。受台移動機構１２０は、ＤＣモータ１０４の駆動力が、カム駆動ギヤ１５６に伝達することを許容する。間欠ギヤ１３６が第二回転方向に継続して回転することによって、カム駆動ギヤ１５６は第三回転方向（図６の矢印Ａ３方向）に回転させられる。カム駆動ギヤ１５６は、第一軸部１５４（図６参照）を第三回転方向に回転させる。これにより、カム部材１５８は第三回転方向に回転する。第三回転方向に回転する第一カム面１６２Ａは、摺動部１７２Ａと摺動する。これにより、摺動部材１７２は、コイルバネ１７３の付勢力に抗って、左方へ移動する。尚、摺動部材１７２は、規制部１６８Ｄ（図８参照）によって左側面視で反時計回り方向に向けた回転を規制された状態で、左方へ移動する。左方へ移動する摺動部材１７２は、支持部材１６８を左方に付勢する。支持部材１６８は、可動範囲の右端位置から、コイルバネ１７１の付勢力に抗って左方に移動する。受台１８０は、第一対向位置から左方へ移動する。
【００７１】
＜２−４．切断刃移動機構２００＞
図３及び図９を参照し、切断刃移動機構２００を説明する。切断刃移動機構２００は、回転駆動部２１０及び切断刃移動部２７０を備える。回転駆動部２１０は、ＤＣモータ１０４の回転に連動して回転駆動する。切断刃移動部２７０は、回転駆動部２１０の回転駆動に伴い、切断刃２７５を前後方向に移動させる。
【００７２】
＜２−４−１．回転駆動部２１０＞
回転駆動部２１０は、カム部２１５、初期位置センサ２４１、中間位置センサ２４２、及びリンク部材２２０を備える。カム部２１５は、上述した回転部材１０６（図５参照）の左部に形成される部分である。カム部２１５の形状は、左側面視で円形状である。カム部２１５は、第一ギヤ部１０９（図５参照）と共に、回転軸部１０３を中心に回転可能である。以下、回転軸部１０３を中心とした左側面視で反時計回り方向を第一方向といい、第一方向とは反対方向を第二方向という。第一方向は、図９で示す矢印Ｂ１が向く方向である。第二方向は、図９で示す矢印Ｂ２が向く方向である。ＤＣモータ１０４が正方向に回転する場合、カム部２１５は第一方向に回転し、ＤＣモータ１０４が逆方向に回転する場合、カム部２１５は第二方向に回転する。
【００７３】
カム部２１５は、右側突出部２１１及び左側突出部２１２を備える。右側突出部２１１及び左側突出部２１２は、いずれもカム部２１５の周面から径方向の外側に突出する板状体である。
【００７４】
右側突出部２１１は、カム部２１５の周面のうち、左右方向中心よりも右側（即ち、図９の紙面奥側）に設けられる。右側突出部２１１は、カム部２１５の周面のうち、回転軸部１０３を中心とした回転方向の一部に設けられる。本例の右側突出部２１１の形成角度は、９０°以上である。右側突出部２１１の形成角度は、右側突出部２１１の第二方向の端部から、右側突出部２１１の第一方向の端部まで、第一方向に沿って至る回転角度である。右側突出部２１１の第二方向の端面は、第一方向に向かう程、回転軸部１０３から離間する方向に傾斜する。
【００７５】
左側突出部２１２は、カム部２１５の周面のうち、左右方向中心よりも左側（即ち図９の紙面前側）に設けられる。即ち、左側突出部２１２は、右側突出部２１１よりも左側に配置される。左側突出部２１２は、カム部２１５の周面のうち、回転軸部１０３を中心とした回転方向の一部に設けられる。本例の左側突出部２１２の形成角度は、右側突出部２１１の形成角度よりも小さい。左側突出部２１２の形成角度は、左側突出部２１２の第二方向の端部から、左側突出部２１２の第一方向の端部まで、第一方向に沿って到る回転角度である。左側突出部２１２の第二方向の端面は、第一方向に向かう程、回転軸部１０３から離間する方向に傾斜する。左側突出部２１２の第一方向の端面は、第二方向に向かう程、回転軸部１０３から離間する方向に傾斜する。左側突出部２１２の第二方向の端面は、右側突出部２１１の第二方向の端面よりも、第一方向側にある。
【００７６】
カム部２１５の左面には、押圧ピン２１５Ａが設けられる。押圧ピン２１５Ａは、カム部２１５から左方へ突出する円柱体である。押圧ピン２１５Ａは、右側突出部２１１の第二方向の端面に対して、第二方向に略９０°回転した位置に配置されている。
【００７７】
図３及び図９で示すカム部２１５は、初期回転位置にある。カム部２１５が初期回転位置にある場合、押圧ピン２１５Ａは、回転軸部１０３の真上にある回転位置から、第一方向に僅かに回転した回転位置にある。
【００７８】
図９に示すように、初期位置センサ２４１は、第一板部１０２Ａの左面の後側下部に設けられる。初期位置センサ２４１は、第一回転軸（図示略）、可動部２４１Ａ、第一バネ（図示略）を備える。第一回転軸は、初期位置センサ２４１内部の後側上部で左右方向に延びる。可動部２４１Ａは、第一回転軸に回転可能に設けられる。可動部２４１Ａは、第一回転軸から前側下方に延びる。可動部２４１Ａのうち、第一回転軸とは反対側の端部である先端部は、回転軸部１０３に向けて円弧上に湾曲する。第一バネは、可動部２４１Ａを、第一回転軸を中心に左側面視で反時計回り方向に付勢する。
【００７９】
可動部２４１Ａには、回転する右側突出部２１１が接離する。可動部２４１Ａは、右側突出部２１１から離間する場合に定常位置にある。可動部２４１Ａが定常位置にある場合、可動部２４１Ａの先端部は、右側突出部２１１の移動経路に進入する。この場合、初期位置センサ２４１は、ＯＦＦ信号を出力する。可動部２４１Ａは、右側突出部２１１と接触する場合、定常位置よりも左側面視で時計回り方向側にある。この場合、初期位置センサ２４１は、ＯＮ信号を出力する。カム部２１５が初期回転位置にある場合、右側突出部２１１の第二方向の端面は、可動部２４１Ａの先端部に対して第一方向に僅かに離間する。従って、カム部２１５が初期回転位置にある場合、初期位置センサ２４１はＯＦＦ信号を出力する。
【００８０】
中間位置センサ２４２は、第一板部１０２Ａの左面の後側上部に設けられる。中間位置センサ２４２は、初期位置センサ２４１から、第二方向に略９０°回転した位置にある。
中間位置センサ２４２は、初期位置センサ２４１よりも左側に配置される。中間位置センサ２４２は、第二回転軸（図示略）、可動部２４２Ａ、第二バネ（図示略）を備える。第二回転軸は、中間位置センサ２４２内部の後側下部で左右方向に延びる。可動部２４２Ａは、第二回転軸に回転可能に設けられる。可動部２４２Ａは、第二回転軸から前側上方に延びる。可動部２４２Ａのうち、第二回転軸とは反対側の端部である先端部は、回転軸部１０３に向けて円弧上に湾曲する。第二バネは、可動部２４２Ａを、第二回転軸を中心に左側面視で時計回り方向に付勢する。
【００８１】
可動部２４２Ａには、回転する左側突出部２１２が接離する。可動部２４２Ａは、左側突出部２１２から離間する場合に定常位置にある。可動部２４２Ａが定常位置にある場合、可動部２４２Ａの先端部は、左側突出部２１２の移動経路に進入する。この場合、中間位置センサ２４２は、ＯＦＦ信号を出力する。可動部２４２Ａは、左側突出部２１２と接触する場合、定常位置よりも左側面視で反時計回り方向側にある。この場合、中間位置センサ２４２は、ＯＮ信号を出力する。カム部２１５が初期回転位置にある場合、左側突出部２１２の第二方向の端面は、可動部２４２Ａの先端部に対して第一方向に９０°以上回転した位置にて離間する。左側突出部２１２の第一方向の端面は、可動部２４２Ａの先端部に対して第二方向に９０°以上回転した位置にて離間する。従って、カム部２１５が初期回転位置にある場合、中間位置センサ２４２はＯＦＦ信号を出力する。
【００８２】
リンク部材２２０は、右側面視で略Ｌの字型の板状部材である。リンク部材２２０は、ギヤ群１０５及びカム部２１５よりも左側に設けられる。リンク部材２２０は、左右方向に延びるリンク軸部２２３を中心に回転可能である。リンク軸部２２３の右端部は、第一板部１０２Ａの左面に固定される。以下、リンク軸部２２３を中心とした左側面視で反時計回り方向を第三方向といい、第三方向とは反対方向を第四方向という。第三方向は、図９で示す矢印Ｂ３が向く方向である。第四方向は、図９で示す矢印Ｂ４が向く方向である。
【００８３】
図９に示すように、リンク部材２２０は、第一板状部２２１及び第二板状部２２２を備える。第一板状部２２１は、チューブ搬送経路９Ｃの下側で略前後方向に延びる板状部である。第二板状部２２２は、第一板状部２２１の前端部から、第一板状部２２１に対して略９０°傾斜して上側に延びる板状部である。第二板状部２２２の上端部は、チューブ搬送経路９Ｃに対して前側に配置される。第二板状部２２２の後下部は、リンク軸部２２３の左端部に接続する。
【００８４】
リンク部材２２０は、リンク軸部２２３に設けられたバネ２２０Ａによって、リンク軸部２２３を第四方向に付勢されている。付勢されるリンク部材２２０は、リンク突起２２４が、上述した板体９９に当接する位置にて、第四方向への回転を規制される。リンク突起２２４は、第一板状部２２１の上面の前部から、上斜め後方に向けて突出する突起部である。以下、リンク突起２２４が板体９９に当接するリンク部材２２０の回転位置を、離間回転位置という。図３、図４、及び図９に示すリンク部材２２０は、離間回転位置にある。
【００８５】
第一板状部２２１には、バネ軸部２２６、係止片２２５，２２７、及び逃がし溝２２８が設けられる。バネ軸部２２６は、第一板状部２２１の左面から左方へ突出する。バネ軸部２２６は、リンク突起２２４の下側に配置される。
【００８６】
係止片２２５，２２７は、いずれも第一板状部２２１から前方に向けて突出する。係止片２２５は、第一板状部２２１の上面の後端部に設けられる。係止片２２５は、バネ軸部２２６よりも後方に配置される。係止片２２７は、第一板状部２２１の下面のうち、前後方向中心よりも後側の部位に設けられる。係止片２２７の前後方向位置は、係止片２２５とバネ軸部２２６の間にある。逃がし溝２２８は、第一板状部２２１の上面のうち係止片２２５とリンク突起２２４との間にある部位に設けられた、下方に湾曲して凹む溝部である。逃がし溝２２８の前後方向の中心部は、係止片２２５よりも下側に形成される。
【００８７】
第一板状部２２１には、トーションバネ２３５が弾性変形した状態で設けられる。トーションバネ２３５は、コイル部２３３、第一アーム部２３１、及び第二アーム部２３２を備える。コイル部２３３の軸線は左右方向に延びる。コイル部２３３は、バネ軸部２２６に挿通される。
【００８８】
第一アーム部２３１は、コイル部２３３の右端部から後方に延びる。第一アーム部２３１の先端部は、係止片２２５を下側から付勢することによって、係止片２２５に係止される。第一アーム部２３１は、カム部２１５の押圧ピン２１５Ａの下方に配置される。第一アーム部２３１には、回転する押圧ピン２１５Ａの先端部が接離する。第二アーム部２３２は、コイル部２３３の左端部から後方に延びる。第二アーム部２３２は、第一アーム部２３１の下側に配置される。第二アーム部２３２の先端部は、係止片２２７を上側から付勢することによって、係止片２２７に係止される。
【００８９】
第二板状部２２２には、突出ピン２３８が設けられる。突出ピン２３８は、第二板状部２２２の上端部から右方に突出する。リンク部材２２０が離間回転位置にある場合、突出ピン２３８は、可動範囲の前端位置に位置する。
【００９０】
＜２−４−２．切断刃移動部２７０＞
図３、図４、及び図９に示すように、切断刃移動部２７０は、収容部材２７２、レール部材２７４、切断刃２７５（図１１参照）、及びアーム部材２７７を備える。収容部材２７２は、保持部材１５２の下板１５２Ｃの前部に載置され、受台１８０に対して前側から対向する。即ち、収容部材２７２は、位置決め部１９０（図２参照）よりもチューブ搬送方向の下流側に位置する。収容部材２７２は、後側が開口する箱状の部材である。収容部材２７２は、前後方向に移動可能である。収容部材２７２の前壁部の上部には、貫通孔２７２Ａが設けられる。
【００９１】
レール部材２７４は、収容部材２７２の下部を貫通して前後方向に延びる円柱体である。レール部材２７４は、チューブ搬送経路９Ｃの下側に設けられる。レール部材２７４は、収容部材２７２が前後方向に移動するのを案内する。
【００９２】
切断刃２７５（図１１参照）は、収容部材２７２の内部に収容される。切断刃２７５は、左右方向に厚みを有する板状体である。切断刃２７５の後端部には、上下方向に直線状に延びる刃部２７５Ａ（図１１参照）が形成される。切断刃２７５は、収容部材２７２に内部に設けられた取付バネ（図示略）によって、前方に付勢される。切断刃２７５は、収容部材２７２に対して相対して前後方向に移動可能であり、刃部２７５Ａは、収容部材２７２よりも後方へ突出可能である。
【００９３】
アーム部材２７７は、前後方向に延びる。アーム部材２７７は貫通孔２７２Ａに挿通される。アーム部材２７７の後端部は、切断刃２７５と連結する。アーム部材２７７の前端部には、筒状部２７７Ａが形成される。筒状部２７７Ａは、右側面視で上下方向に長い長円状である。筒状部２７７Ａの筒孔２７７Ｂには、リンク部材２２０の突出ピン２３８が左側から挿入されている。これにより、リンク部材２２０がリンク軸部２２３を中心に回転する場合に、アーム部材２７７は左右方向に移動可能である。
【００９４】
＜２−４−３．切断刃移動機構２００が初期状態にある場合の各種部材の位置関係＞
上記の構造を有する切断刃移動機構２００が初期状態にある場合の、カム部１６０、リンク部材２２０、収容部材２７２、及び切断刃２７５の位置関係を説明する。切断刃移動機構２００の初期状態とは、切断機構１００が切断動作を開始する前の切断刃移動機構２００の状態である。
【００９５】
切断刃移動機構２００が初期状態にある場合、カム部１６０は初期回転位置にあり、リンク部材２２０は離間回転位置にある。この場合、カム部２１５の押圧ピン２１５Ａの先端部は、トーションバネ２３５の第一アーム部２３１に上方から当接している。リンク部材２２０が離間回転位置にあるので、突出ピン２３８は可動範囲の前端位置にある。アーム部材２７７及び収容部材２７２は、夫々、可動範囲の前端位置にある。収容部材２７２が可動範囲の前端位置にある場合の、切断刃２７５の配置位置を離間位置という。離間位置は、切断刃２７５の可動範囲の前端位置である。切断刃２７５は、離間位置にある場合、受台１８０の接触面１８３に対して離間しており、収容部材２７２の内部に収容される。
【００９６】
＜２−４−４．切断刃移動機構２００の動作概要＞
図９に示すように、切断刃移動機構２００が初期状態にある場合に、ＤＣモータ１０４が正方向に回転すると、カム部２１５は、第一方向（矢印Ｂ１方向）に回転する。カム部２１５の第一方向への回転に伴って、押圧ピン２１５Ａは、第一アーム部２３１を左側面視で反時計回りに押圧する。リンク部材２２０は、第三方向（矢印Ｂ３方向）に回転する。リンク部材２２０の突出ピン２３８は、アーム部材２７７を後方へ移動させる。アーム部材２７７は、切断刃２７５を後方へ移動させる。従って、収容部材２７２は可動範囲の前端位置から後方へ移動する。
【００９７】
一方、切断刃移動機構２００が初期状態にある場合に、ＤＣモータ１０４が逆方向に回転すると、カム部２１５は第二方向（図９矢印Ｂ２方向）に回転する。リンク部材２２０は離間回転位置に位置した状態を維持する。
【００９８】
カム部２１５の第二方向への回転に伴って、押圧ピン２１５Ａは、第一アーム部２３１から離間して第二方向に回転する。カム部２１５は、特定回転位置まで回転する。図９では、特定回転位置まで回転した押圧ピン２１５Ａを二点鎖線によって図示する。特定回転位置は、仮想平面Ｔに対して初期回転位置とは略対称となる位置である。仮想平面Ｔは、回転軸部１０３の軸線を含み、且つ、左右方向と上下方向の夫々の方向に延びる仮想的な面である。カム部２１５が特定回転位置まで回転すると、押圧ピン２１５Ａは、再び第一アーム部２３１に当接する。押圧ピン２１５Ａが第一アーム部２３１と接触する位置は、ＤＣモータ１０４が正方向に回転する場合と比べて、コイル部２３３に近接する。
【００９９】
ＤＣモータ１０４が逆方向に継続して回転すると、カム部２１５は、特定回転位置からさらに第二方向に回転する。押圧ピン２１５Ａは、第一アーム部２３１を左側面視で反時計回りに押圧する。リンク部材２２０は第三方向に回転し、収容部材２７２を可動範囲の前端位置から後方へ移動させる。
【０１００】
＜３．切断機構１００の切断動作＞
以下、切断機構１００の切断動作を、チューブ９のハーフカット動作と、チューブ９のフルカット動作とに分けて説明する。切断動作を開始する前の切断機構１００は、初期状態にある。切断機構１００が初期状態にある場合、受台移動機構１２０は初期状態にあり、且つ切断刃移動機構２００は初期状態にある。初期位置センサ２４１及び中間位置センサ２４２はＯＦＦ信号を出力している。又、切断機構１００が初期状態である場合、チューブ９は、ユーザによって位置決め部１９０の底壁部１９２に位置決めされている。即ち、チューブ９は、下端が基準位置Ｐに位置決めされた状態で、接触面１８３に配置されている（図３参照）。
【０１０１】
＜３−１.切断機構１００のハーフカット動作＞
図４、図６、図９〜図１１を参照し、切断機構１００が大径チューブ９Ａをハーフカットする動作を説明する。尚、図１１では、受台１８０、切断刃２７５、及びチューブ９の左側から見た断面図を模式的に図示しており、且つ、切断刃２７５の後端部のハッチングを省略する。（図１２、図１５も同様）
【０１０２】
大径チューブ９Ａに対するハーフカット動作の概要は、以下の通りある。切断機構１００は、受台１８０が第一対向位置で停止する状態を維持して、第一接触面１８１と切断刃２７５との間で大径チューブ９Ａを挟み込む。切断刃２７５が大径チューブ９Ａを第一接触面１８１に向けて押圧することによって、大径チューブ９Ａはハーフカットされる。制御基板１９（図２参照）のＣＰＵの駆動制御に従って、ＤＣモータ１０４は以下のように駆動する。
【０１０３】
切断機構１００が初期状態にある状態で、開始回転位置にあるＤＣモータ１０４は正方向に回転する。間欠ギヤ１３６は、カム駆動ギヤ１５６と噛み合うことなく、第一回転方向（図４の矢印Ａ１方向）に空転する。図６に示すように、支持部材１６８は、コイルバネ１７１，１７３に左方に付勢された状態で、可動範囲の右端位置で停止する状態を維持する。従って、受台１８０は第一対向位置で停止する状態を維持する。
【０１０４】
図９、図１０に示すように、開始回転位置にある間欠ギヤ１３６が第一回転方向に回転すると同時に、カム部２１５は、第一方向（矢印Ｂ１方向）に回転する。収容部材２７２は、可動範囲の前端位置から後方へ移動する。切断刃２７５は、離間位置（図１１（ａ）参照））から後方へ移動する。
【０１０５】
図示しないが、後方へ移動する収容部材２７２は、切断刃２７５よりも先に大径チューブ９Ａに前方から接触する。収容部材２７２は後方への移動が規制される。ＤＣモータ１０４が継続して正方向に回転すると、アーム部材２７７は切断刃２７５（図１１参照）を後方へ付勢する。切断刃２７５は、取付バネ（図示略）の付勢力に抗って、収容部材２７２に相対して後方へ移動する。
【０１０６】
図１０及び図１１に示すように、刃部２７５Ａは挟持位置（図１１（ｂ）参照）まで移動する。本例の挟持位置は、刃部２７５Ａが接触面１８３との間で大径チューブ９Ａを挟み込む切断刃２７５の配置位置である。ハーフカット動作がなされる場合、挟持位置にある切断刃２７５は、大径チューブ９Ａを第一接触面１８１との間で挟む。大径チューブ９Ａのうち刃部２７５Ａと第一接触面１８１の間にある部位は、弾性変形して左側面視で上下方向に長い略長円状になる。
【０１０７】
切断刃２７５を挟持位置まで移動させたリンク部材２２０の回転位置は、挟持回転位置である。ハーフカット動作がなされる場合において、リンク部材２２０を挟持回転位置まで回転させたカム部２１５の回転位置は、第一中間回転位置である。図１０では、挟持回転位置にあるリンク部材２２０と、第一中間回転位置にあるカム部２１５とを、夫々、二点鎖線によって図示する。
【０１０８】
第一方向に回転するカム部２１５が初期回転位置から第一中間回転位置まで回転すると、左側突出部２１２の第一方向の端面が、中間位置センサ２４２の可動部２４２Ａに接触する。中間位置センサ２４２はＯＦＦ信号に代えてＯＮ信号を出力する。これにより、制御基板１９（図２参照）のＣＰＵは、カム部２１５が第一中間回転位置まで回転したと判断できる。
【０１０９】
ＤＣモータ１０４が所定時間、正方向にさらに継続して回転することによって、カム部２１５は、第一中間回転位置よりも第一方向側に回転する。押圧ピン２１５Ａは、第一アーム部２３１を、左側面視で反時計回りに押圧する。第一アーム部２３１が係止片２２５から下方に僅かに離間し、トーションバネ２３５の弾性変形量は増加する。トーションバネ２３５は、第二アーム部２３２及び係止片２２７を介して、リンク部材２２０を第三方向に付勢する。従って、切断刃２７５は後方へ付勢される。
【０１１０】
尚、ハーフカット時にトーションバネ２３５の弾性変形量が増加する場合において、押圧ピン２１５Ａの第一アーム部２３１に対する押圧角度は、鋭角である。押圧角度は、第一アーム部２３１の延設方向のうちコイル部２３３に近接する方向（矢印Ｃ方向）に対する、押圧ピン２１５Ａの接線方向（矢印Ｄ方向）である。ハーフカット動作がなされる場合における押圧角度は、図１０の角度θ１に該当する。
【０１１１】
付勢される切断刃２７５は、大径チューブ９Ａを切り裂きながら接触位置（図１１（ｃ）参照）まで移動する。接触位置は、刃部２７５Ａが接触面１８３と接触する切断刃２７５の配置位置である。接触位置は、切断刃２７５の可動範囲の後端位置である。ハーフカット動作がなされる場合、接触位置まで移動した刃部２７５Ａは、二つの接触平面１８１Ａの夫々に接触する。大径チューブ９Ａは、退避溝１８７に進入して刃部２７５Ａから退避した部位を残して、ハーフカットされる。尚、接触位置まで移動した刃部２７５Ａは、第三面１８７Ｃと対向する。
【０１１２】
切断刃２７５を接触位置まで移動させたリンク部材２２０の回転位置は、接触回転位置である。ハーフカット動作がなされる場合において、リンク部材２２０を接触回転位置まで回転させたカム部２１５の回転位置は、第一終了回転位置である。図１０では、接触回転位置にあるリンク部材２２０と、第一終了回転位置にあるカム部２１５とを、夫々、実線によって図示する。カム部２１５が初期回転位置から第一終了回転位置まで回転すると、ＤＣモータ１０４は正方向への回転を停止する。カム部２１５が第一終了回転位置にある場合、左側突出部２１２は、可動部２４２Ａと接触している。
【０１１３】
ＤＣモータ１０４が正方向への回転を停止すると、間欠ギヤ１３６は第一回転方向への回転を停止する。ハーフカット動作がなされる場合、切断刃２７５が離間位置から接触位置まで移動する間に、間欠ギヤ１３６は第一回転方向に第一所定回転角度分、回転する。第一所定回転角度は、歯部未形成角度よりも小さい。本例の第一所定回転角度は、１９０°である。即ち、切断刃２７５が離間位置から接触位置まで移動する間、間欠ギヤ１３６はカム駆動ギヤ１５６と噛み合うことなく、空転する。
【０１１４】
尚、切断刃２７５が離間位置から接触位置まで移動する間、右側突出部２１１は、初期位置センサ２４１の可動部２４１Ａと接触することなく、第一方向に回転する。従って、切断刃２７５が離間位置から接触位置まで移動する間、初期位置センサ２４１はＯＦＦ信号を出力する。
【０１１５】
ＤＣモータ１０４は、正方向への回転を終了した後、回転方向を切り替えて逆方向に回転する。カム部２１５は第二方向（図１０の矢印Ｂ２方向）に回転する。リンク部材２２０は、接触回転位置から第四方向（図１０の矢印Ｂ４方向）に回転する。間欠ギヤ１３６は、第二回転方向（図４の矢印Ａ２方向）に回転する。
【０１１６】
カム部２１５が第一中間回転位置を経由して初期回転位置（図９参照）まで回転すると、リンク部材２２０は、挟持回転位置を経由して離間回転位置まで回転する。切断刃２７５は、挟持位置（図１１（ｂ）参照）を経由して離間位置（図１１（ａ）参照）まで移動する。
【０１１７】
ＤＣモータ１０４は逆方向に継続して回転する。リンク部材２２０は離間位置に位置した状態で、カム部２１５は初期回転位置から僅かに第二方向に回転する。右側突出部２１１の第二方向の端面が、初期位置センサ２４１の可動部２４１Ａに接触する。初期位置センサ２４１は、ＯＦＦ信号に代えてＯＮ信号を出力する。ＤＣモータ１０４は、回転方向を切り替えて、再び正方向に回転する。カム部２１５が初期位置まで戻ると、右側突出部２１１は可動部２４１Ａから離間する。初期位置センサ２４１は、ＯＮ信号に代えてＯＦＦ信号を出力する。これにより、制御基板１９のＣＰＵ（図示略）は、カム部２１５が初期回転位置まで戻ったと判断し、ＤＣモータ１０４の回転を停止する。このとき、間欠ギヤ１３６は開始回転位置まで戻る。以上の動作によって、切断機構１００は、大径チューブ９Ａをハーフカットした後、初期状態に戻る。
【０１１８】
図９、図１０、及び図１２を参照し、切断機構１００が小径チューブ９Ｂをハーフカットする動作を説明する。小径チューブ９Ｂのハーフカットする動作は、大径チューブ９Ａのハーフカット動作を同様である。以下、大径チューブ９Ａのハーフカット動作と重複する動作については、説明を簡略化する。
【０１１９】
切断機構１００が初期状態にある状態で、ＤＣモータ１０４は正方向に回転する。受台１８０は、第一対向位置で停止した状態を維持する。カム部２１５が初期回転位置から第一中間回転位置まで回転すると、中間位置センサ２４２はＯＦＦ信号に代えてＯＮ信号を出力する。このとき、リンク部材２２０は、離間回転位置から挟持回転位置まで回転し、切断刃２７５は、離間位置（図１２（ａ）参照）から挟持位置（図１２（ｂ）参照）まで移動する。小径チューブ９Ｂは大径チューブ９Ａよりも小さい。従って、挟持位置にある切断刃２７５と第一接触面１８１との間にある小径チューブ９Ｂは、僅かしか弾性変形しない。
【０１２０】
中間位置センサ２４２がＯＮ信号を出力した後に、ＤＣモータ１０４が所定時間、さらに正方向に回転する。カム部２１５が第一中間回転位置からさらに第一方向に回転する。リンク部材２２０が挟持回転位置から第三方向にさらに回転し、切断刃２７５を第一接触面１８１に向けて付勢する。切断刃２７５は小径チューブ９Ｂを第一接触面１８１に向けてさらに押圧する。切断刃２７５は、小径チューブ９Ｂを切り裂きながら挟持位置から接触位置まで移動する。小径チューブ９Ｂは、退避溝１８７に進入した部位を残してハーフカットされる。
【０１２１】
切断刃２７５が接触位置まで移動した後、ＤＣモータ１０４は正方向への回転を停止する。その後、ＤＣモータ１０４は、回転方向を切り替えて逆方向に回転する。ＤＣモータ１０４は、大径チューブ９Ａのハーフカット時と同様の回転動作を実行する。切断機構１００は初期状態に戻る。
【０１２２】
＜３−２.切断機構１００のフルカット動作＞
図３、図４、図６〜図９、図１３〜図１５を参照し、切断機構１００が大径チューブ９Ａをフルカットする動作を説明する。大径チューブ９Ａに対するフルカット動作の概要は、以下の通りである。切断機構１００は、受台１８０を第一対向位置から第二対向位置まで移動させ、第二接触面１８２と切断刃２７５との間で大径チューブ９Ａを挟み込む。切断刃２７５が大径チューブ９Ａを第二接触面１８２に向けて押圧することによって、大径チューブ９Ａはフルカットされる。制御基板１９（図２参照）のＣＰＵ（図示略）の駆動制御に従って、ＤＣモータ１０４は以下のように駆動する。
【０１２３】
切断機構１００が初期状態にある状態で、ＤＣモータ１０４は逆方向に回転する。開始回転位置にある間欠ギヤ１３６は、第二回転方向（図４の矢印Ａ２方向）に回転する。第一歯部１３６Ａの端部１３６Ｂが、第二歯部１５６Ａと噛み合う。カム駆動ギヤ１５６は、間欠ギヤ１３６によって第三回転方向（矢印Ａ３方向）に回転させられる。
【０１２４】
図６、図１３に示すように、カム部材１５８は、カム駆動ギヤ１５６によって、第三回転方向に回転させられる。第一カム面１６２Ａと摺動する摺動部１７２Ａは、第一回転位置に位置した状態で、コイルバネ１７３の付勢力に抗って左方へ移動する。支持部材１６８は、コイルバネ１７１，１７３の付勢力に抗って左方に移動する。第一対向位置にある受台１８０は左方へ移動する。
【０１２５】
カム駆動ギヤ１５６が、間欠ギヤ１３６によって、第二所定回転角度分、回転させられると、摺動部１７２Ａは、第一回転位置に位置した状態で、第一カム面１６２Ａの右端部から左端部まで移動する。摺動部材１７２は、可動範囲の左端位置まで距離Ｌ分移動する。これにより、支持部材１６８は、可動範囲の左端位置まで距離Ｌ分移動する。受台１８０は、距離Ｌ分移動し、第二対向位置まで移動する。このとき、第一歯部１３６Ａは、第二歯部１５６Ａと噛み合っている。
【０１２６】
カム駆動ギヤ１５６の上述した第二所定回転角度は、第一カム面１６２Ａの形成角度と等しく、一例として８２°である。間欠ギヤ１３６は、第三所定回転角度分、回転することによって、カム駆動ギヤ１５６を第二所定回転角度分、回転させる。第三所定回転角度は、一例として４８°である。即ち、歯部形成角度は、第三所定回転角度よりも大きい。
【０１２７】
受台１８０が第二対向位置まで移動した後、ＤＣモータ１０４は継続して逆方向に回転する。間欠ギヤ１３６は、第二回転方向にさらに回転し、カム部材１５８はさらに第三回転方向に回転する。摺動部１７２Ａは、カム部材１５８に相対して第一カム面１６２Ａの右端部まで移動した後、第三カム面１６２Ｃと摺動する。第三カム面１６２Ｃは、第四回転方向と平行に延びる。従って、摺動部１７２Ａは左方へ移動しない。言い換えると、コイルバネ１７３によって付勢される摺動部１７２Ａは、第三カム面１６２Ｃによって右方への移動を規制される。従って、受台１８０は、第二対向位置に位置する状態を維持する。
【０１２８】
図９に示すように、摺動部１７２Ａが第三カム面１６２Ｃと摺動する間に、カム部２１５は、初期回転位置から特定回転位置まで第二方向（矢印Ｂ２方向）に回転する。カム部２１５が第二方向への回転を開始した直後、右側突出部２１１の第二方向の端面は、可動部２４１Ａと接触する。初期位置センサ２４１はＯＦＦ信号に代えてＯＮ信号を出力する。ＤＣモータ１０４は継続して逆方向に回転し、カム部２１５の押圧ピン２１５Ａは、第二アーム部２３２を左側面視で反時計回りに付勢する。
【０１２９】
リンク部材２２０は離間回転位置から第三方向に回転する。収容部材２７２は後方へ移動する。切断刃２７５は、離間位置（図１５（ａ）参照）から後方へ移動する図示しないが、後方へ移動する収容部材２７２は、切断刃２７５よりも先に大径チューブ９Ａに前方から接触する。収容部材２７２は後方への移動が規制される。ＤＣモータ１０４が継続して逆方向に回転すると、アーム部材２７７は切断刃２７５（図１５参照）を後方へ付勢する。切断刃２７５は、取付バネ（図示略）の付勢力に抗って、収容部材２７２に相対して後方へ移動する。
【０１３０】
図１４及び図１５に示すように、刃部２７５Ａは挟持位置（図１５（ｂ）参照）まで移動する。フルカット動作がなされる場合、挟持位置にある切断刃２７５は、大径チューブ９Ａを第二接触面１８２との間で挟む。大径チューブ９Ａのうち刃部２７５Ａと第二接触面１８２の間にある部位は、弾性変形して左側面視で上下方向に長い略長円状になる。
【０１３１】
切断刃２７５を挟持位置まで移動させたリンク部材２２０の回転位置は、上述した挟持回転位置である。フルカット動作がなされる場合において、リンク部材２２０を挟持回転位置まで移動させたカム部２１５の回転位置は、第二中間回転位置である。図１４では、挟持回転位置にあるリンク部材２２０と、第二中間回転位置にあるカム部２１５とを、夫々、二点鎖線によって図示する。
【０１３２】
第二方向に回転するカム部２１５が初期回転位置から第二中間回転位置まで回転すると、左側突出部２１２の第二方向の端面が、中間位置センサ２４２の可動部２４２Ａに接触する。中間位置センサ２４２はＯＦＦ信号に代えてＯＮ信号を出力する。これにより、制御基板１９（図２参照）のＣＰＵ（図示略）は、カム部２１５が第二中間回転位置まで回転したと判断できる。
【０１３３】
ＤＣモータ１０４が所定時間、逆方向にさらに回転することによって、カム部２１５は、第二中間回転位置よりも第二方向側まで回転する。押圧ピン２１５Ａは、第一アーム部２３１を、左側面視で反時計回りに押圧する。第一アーム部２３１が係止片２２５から下方に僅かに離間し、トーションバネ２３５の弾性変形量は増加する。
【０１３４】
尚、フルカット動作時にトーションバネ２３５の弾性変形量が増加する場合において、押圧ピン２１５Ａの第一アーム部２３１に対する押圧角度は、鈍角である。フルカット動作がなされる場合における押圧角度は、図１４の角度θ２に該当する。
【０１３５】
付勢される切断刃２７５は、大径チューブ９Ａを切り裂きながら接触位置（図１５（ｃ）参照）まで移動する。フルカット動作がなされる場合、接触位置まで移動した刃部２７５Ａは、第二接触面１８２に接触する。大径チューブ９Ａは、フルカットされる。
【０１３６】
切断刃２７５を接触位置まで移動させたリンク部材２２０の回転位置は、上述した接触回転位置である。フルカット動作がなされる場合において、リンク部材２２０を接触回転位置まで移動させたカム部２１５の回転位置は、第二終了回転位置である。図１４では、接触回転位置にあるリンク部材２２０と、第二終了回転位置にあるカム部２１５とを、夫々、実線によって図示する。カム部２１５が第二終了回転位置にある場合、左側突出部２１２は、可動部２４２Ａと接触し、右側突出部２１１は可動部２４１Ａと接触している。つまり、初期位置センサ２４１及び中間位置センサ２４２は、夫々、ＯＮ信号を出力している。
【０１３７】
フルカット動作がなされる場合、切断刃２７５が離間位置から接触位置まで移動する間に、間欠ギヤ１３６は第二回転方向に第四所定回転角度分、回転する。第四所定回転角度は、歯部形成角度よりも小さい。即ち、切断刃２７５が離間位置から接触位置まで移動しても、第一歯部１３６Ａと第二歯部１５６Ａは、互いに噛み合った状態を維持している。本例の第四所定回転角度は、１９０°である。
【０１３８】
図６、図１３に示すように、カム部２１５（図１４参照）が第二終了回転位置まで回転した後、ＤＣモータ１０４は継続して逆方向に回転する。摺動部１７２Ａは、第三カム面１６２Ｃの第四回転方向の端部と摺動した後、第二カム面１６２Ｂと摺動する。
【０１３９】
摺動部１７２Ａが第二カム面１６２Ｂと摺動する場合、摺動部材１７２はコイルバネ１７３に付勢されて、右方に移動する。支持部材１６８は、摺動部材１７２と共に右方に移動する。これにより、受台１８０は第二対向位置から右方に移動する。
【０１４０】
右方へ移動する摺動部１７２Ａは、第二カム面１６２Ｂと摺動した後、第一カム面１６２Ａの右端部と当接する。摺動部材１７２が距離Ｌ分右方に移動し、可動範囲の右端位置まで移動する。支持部材１６８は、距離Ｌ分右方に移動し、可動範囲の右端位置まで移動する。これにより、受台１８０は、第二対向位置から第一対向位置まで移動する。ＤＣモータ１０４は、逆方向への回転を停止する。このとき、第一歯部１３６Ａと第二歯部１５６Ａは、互いに噛み合った状態を維持している。ＤＣモータ１０４は、回転方向を切り替えて、正方向への回転を開始する。
【０１４１】
図８に示すように、ＤＣモータ１０４が正方向への回転を開始すると、カム部材１５８は、第四回転方向に回転する。第四回転方向に回転する第二カム面１６２Ｂは、摺動部１７２Ａを左側面視で時計回り方向に付勢する。第二カム面１６２Ｂに次いで、特定カム面１６４の第四回転方向の端部が、摺動部１７２Ａと接触する。摺動部材１７２は、第二回転位置まで回転する。
【０１４２】
第四回転方向に回転する特定カム面１６４が摺動部１７２Ａと摺動する間、支持部材１６８は右板１５２Ｂによって右方への移動を規制され、摺動部材１７２は支持部材１６８の右壁部１６８Ｂによって右方への移動を規制される。従って、摺動部１７２Ａが特定カム面１６４と摺動する間、受台１８０は第一対向位置で停止する状態を維持する。
【０１４３】
図９及び図１４に示すように、摺動部１７２Ａが、第二カム面１６２Ｂ及び特定カム面１６４の順に摺動する間、カム部２１５は、第二接触回転位置から第一回方向に回転する。カム部２１５は、第二接触回転位置から第二中間回転位置及び特定回転位置を順に経由して、初期回転位置まで回転する。リンク部材２２０は、接触回転位置から、挟持回転位置を経由して離間回転位置まで回転する。切断刃２７５は、接触位置から挟持位置を経由して離間位置まで移動する。
【０１４４】
右側突出部２１１は、初期回転位置まで移動すると、可動部２４２Ａから離間する。初期位置センサ２４１は、ＯＮ信号に代えてＯＦＦ信号を出力する。これにより、制御基板１９のＣＰＵ（図示略）は、カム部２１５が初期回転位置まで回転したと判断できる。ＤＣモータ１０４は正方向への回転を停止する。切断刃移動機構２００は初期状態に戻る。
【０１４５】
図６に示すように、カム部２１５が初期回転位置まで戻ると同時に、摺動部１７２Ａは、特定カム面１６４の第三回転方向の端部から第一カム面１６２Ａの右端部まで、カム部材１５８に相対して移動する。受台移動機構１２０は初期状態に戻る。以上の動作によって、切断機構１００は大径チューブ９Ａをフルカットした後、初期状態に戻る。
【０１４６】
尚、切断機構１００の小径チューブ９Ｂに対するフルカットする動作は、大径チューブ９Ａに対するフルカット動作と同様であるので、説明を省略する。
【０１４７】
＜４．変形例である切断機構５００の構造及び動作概要＞
図１６〜図２４を参照し、切断機構１００の変形例である切断機構５００を説明する。尚、以下の説明では上記実施形態と同一機能を有する部材には同じ符号を付して説明を省略する。尚、図２０は、切断機構５００において、回転軸部１０３の軸線を通過して左右方向及び上下方向に延びる仮想面によって切られたカム部２１５等の断面を図示する（図２１も同様）。図２２は、初期回転位置にあるカム部２１５及び離間回転位置にあるリンク部材２２０を実線で示し、第一終了回転位置にあるカム部２１５及び接触回転位置にあるリンク部材２２０を破線で示している。図２３は、初期回転位置にあるカム部２１５及び離間回転位置にあるリンク部材２２０を実線で示し、特定回転位置にあるカム部２１５を破線で示している。図２４は、特定回転位置にあるカム部２１５及び離間回転位置にあるリンク部材２２０を実線で示し、第二終了回転位置にあるカム部２１５及び接触回転位置にあるリンク部材２２０を破線で示している。
【０１４８】
印刷装置１は、切断機構１００の代わりに切断機構５００を備える。切断機構５００は、チューブ装着部４０（図２参照）の左端部とチューブ排出口１６（図２参照）との間に設けられる。切断機構５００は、印刷後のチューブ９（図１６参照）に対して切断動作を実行する機構である。
【０１４９】
図１６及び図１７に示すように、切断機構５００は、位置決め部１９０（図２参照）、駆動部５１０、受台揺動機構５２０（図１７参照）、及び切断刃移動機構２００を備える。つまり、切断機構５００は、駆動部１１０の代わりに駆動部５１０を備え、且つ、受台移動機構１２０に代えて受台揺動機構５２０を備える点で、切断機構１００とは異なる。故に、以下では駆動部５１０及び受台揺動機構５２０を説明する。駆動部５１０は、受台揺動機構５２０及び切断刃移動機構２００を駆動する。受台揺動機構５２０は、前後方向に延びる軸を中心として受台１８０を左右方向に揺動可能に支持する機構である。尚、リンク部材２２０は、リンク軸部２２３を回転軸として所定角度θ３回転することにより、切断刃２７５を離間位置と接触位置との間で移動させる。
【０１５０】
＜４−１．駆動部５１０＞
図１６及び図１７を参照し、駆動部５１０を説明する。駆動部５１０は、チューブ搬送経路９Ｃよりも下側に設けられる。駆動部５１０は、支持板部５０２、ＤＣモータ１０４、及びギヤ群１０５（図１６参照）を備える。駆動部５１０は、支持板部１０２の代わりに支持板部５０２を備える点で駆動部１１０とは異なる。支持板部５０２は、第一板部５０２Ａと第二板部５０２Ｂを備える。第一板部５０２Ａは、上下方向及び前後方向に延びる板状体である。第一板部５０２Ａには、第一凹部５０２Ｃ（図１７参照）が形成される。第一凹部５０２Ｃは、第一板部５０２Ａの上端部、且つ前後方向の中央部よりやや後側から下方に凹む。第一凹部５０２Ｃは、第一板部５０２Ａを左右方向貫通する。第二板部５０２Ｂは、第一板部５０２Ａの上端部から右方に延びる板状体である。第二板部５０２Ｂの上面には、左右方向及び前後方向に延びる板体９９（図９参照）が取り付けられる。第二板部５０２Ｂには、第二凹部５０２Ｄ（図１７参照）が形成される。第二凹部５０２Ｄは、第二板部５０２Ｂの左端部、且つ前後方向において第一凹部５０２Ｃと同じ位置から右方に凹む。第二凹部５０２Ｄは、第二板部５０２Ｂを上下方向に貫通する。従って、第一凹部５０２Ｃと第二凹部５０２Ｄとは、連なって形成される。
【０１５１】
ＤＣモータ１０４は、第一板部５０２Ａの右面の前部に固定される。ＤＣモータ１０４の出力軸は、第一板部５０２Ａを貫通する。
【０１５２】
ギヤ群１０５は、夫々、第一板部５０２Ａの左面から左方に延びる軸部に、回転可能に設けられた複数のギヤを含む。尚、図１６及び図１７では、複数のギヤのうち幾つかのギヤの図示を省略する。
【０１５３】
＜４−２．受台揺動機構５２０＞
図１６〜図１９、及び図２２〜図２４を参照し、受台揺動機構５２０を説明する。図１６及び図１７に示すように、受台揺動機構５２０は、カム面５５０（図１７参照）、補助部材５３０，５４０、レール部材５９０、支持部５８０、及び受台１８０を備える。尚、切断機構５００は、保持部材１５２の代わりに補助部材５３０，５４０を備える。切断機構５００は、切断機構１００のレール部材２７４の代わりにレール部材５９０を備える。
【０１５４】
＜４−２−１．カム面５５０＞
図１８に示すように、カム面５５０は、上述した回転部材１０６の右面に形成される面である。カム面５５０の形状は、右側面視で円形状である。カム面５５０は、第一ギヤ部１０９と共に回転軸部１０３を中心に回転可能である。カム面５５０は、第一面５６１、第二面５６２、第三面５６３、第一カム面５５１、第二カム面５５２、及び第三カム面５５３を含む。第一面５６１は、回転軸部１０３に対して垂直方向に延びる面である。第一面５６１は、右側面視環状であり、回転軸部１０３の近傍から離間する方向（以下、「離間方向」という。）に沿って所定の幅を有する。第二面５６２は、第一面５６１の離間方向における端部の一部から左方に延びる。第三面５６３は、第二面５６２よりも離間方向の位置に設けられる。第三面５６３は、回転軸部１０３の回転方向に亘って、第二面５６２と隙間を挟んで対向する。第三面５６３の右端部は、離間方向とは反対方向における第一ギヤ部１０９の右面の端部に接続する。
【０１５５】
第一カム面５５１は、回転軸部１０３の周囲のうち一部で第一方向（矢印Ｂ１方向）に延び、且つ第二面５６２の左端部から第三面５６３の左端部まで延びる。第一カム面５５１は、第二方向（矢印Ｂ２方向）の端部である第一端部５５１Ａ（図１９参照）及び第一方向の端部である第二端部５５１Ｂを有する。
【０１５６】
第二カム面５５２は、回転軸部１０３の周囲のうち第二端部５５１Ｂから第一方向に沿って右方に、第一方向に対して傾斜して延び、且つ第二面５６２の左端部から第三面５６３の左端部まで延びる。第二カム面５５２は、第二方向の端部である第三端部５５２Ａ及び第一方向の端部である第四端部５５２Ｂを有する。第三端部５５２Ａは、第二端部５５１Ｂに接続する。
【０１５７】
第三カム面５５３は、回転軸部１０３の周囲のうち第四端部５５２Ｂから第一端部５５１Ａの上方まで第一方向に延び、且つ第一面５６１の離間方向における端部のうち、第二面５６２に接続されていない端部から第三面５６３の左端部まで延びる。第三カム面５５３は、第二方向の端部である第五端部５５３Ａ及び第一方向の端部である第六端部５５３Ｂを有する。第五端部５５３Ａは、第四端部５５２Ｂに接続する。第六端部５５３Ｂは、第六端部５５３Ｂから第一端部５５１Ａまで延びる面を介して、第一端部５５１Ａに接続する。
【０１５８】
図１９を参照し、第一カム面５５１、第二カム面５５２、及び第三カム面５５３の形成角度を説明する。本変形例では、第一カム面５５１の形成角度である第一カム角度Ｘ１は、１７０°である。第一カム角度Ｘ１は、第一端部５５１Ａから第二端部５５１Ｂまで第一方向（矢印Ｂ１方向）に沿って至る角度である。第一カム角度Ｘ１は、第一回転角度Ｘ２以上である。第一回転角度Ｘ２は、図２２に示すように、ＤＣモータ１０４が正方向に回転して、カム部２１５が初期回転位置から第一終了回転位置まで第一方向に回転した場合の回転角度である。本変形例では、第一回転角度Ｘ２は、１５０°である。
【０１５９】
本変形例では、第二カム面５５２の形成角度である第二カム角度Ｙ１は、１１０°である。第二カム角度Ｙ１は、第三端部５５２Ａから第四端部５５２Ｂまで第一方向に沿って至る角度である。第二カム角度Ｙ１は、第二回転角度Ｙ２以下である。第二回転角度Ｙ２は、図２３に示すように、ＤＣモータ１０４が逆方向に回転して、カム部２１５が初期回転位置から特定回転位置まで第二方向（矢印Ｂ２方向）に回転した場合の回転角度である。本変形例では、第二回転角度Ｙ２は、１２０°である。
【０１６０】
本変形例では、第三カム面５５３の形成角度である第三カム角度Ｚ１は、８０°である。第三カム角度Ｚ１は、第五端部５５３Ａから第六端部５５３Ｂまで第一方向に沿って至る角度である。第三カム角度Ｚ１は、第三回転角度Ｚ２以上である。第三回転角度Ｚ２は、図２４に示すように、ＤＣモータ１０４が逆方向に回転して、カム部２１５が特定回転位置から第二終了回転位置まで第二方向に回転した場合の回転角度である。本変形例では、第三回転角度Ｚ２は、７７°である。
【０１６１】
尚、本変形例では、以下に示す式（１）が成立する。
第二カム角度Ｙ１＋第三カム角度Ｚ１≧第二回転角度Ｙ２＋第三回転角度Ｚ２・・・（１）
【０１６２】
＜４−２−２．補助部材５３０，５４０＞
図１６及び図１７に示すように、補助部材５３０は、リンク部材２２０と第一板部５０２Ａとの間、且つ第二板部５０２Ｂの上側に設けられ、板体９９（図９参照）に固定される。補助部材５３０は、下板部５３１、前板部５３２、右板部５３３（図１７参照）、及び左板部５３４（図１６参照）を備える。
【０１６３】
下板部５３１は、前後方向を長手方向とする平面視略矩形状の板状体である。前板部５３２は、下板部５３１の前端部から上方に延びる正面視略矩形状の板状体である。前板部５３２の略中央部には、孔部５３２Ａが形成される。右板部５３３は、下板部５３１の右端部、且つ後端部から前後方向の中央部よりやや前側までの部分から上方に延びる。右板部５３３は、前後方向を長手方向とする右側面視矩形状の板状体である。左板部５３４は、下板部５３１の左端部、且つ後端部から前後方向の略中央部までの部分から上方に延びる。左板部５３４は、前後方向を長手方向とする左側面視略矩形状の板状体である。
【０１６４】
補助部材５４０は、受台１８０の後側に設けられ、板体９９（図９参照）に固定される。補助部材５４０は、第一板部５４１、第二板部５４２、及び第三板部５４３を備える。第一板部５４１は、上下方向を長手方向とした正面視略矩形状の板状体である。第一板部５４１は、受台１８０の上端部から下端部よりも下側まで延びる。第一板部５４１において、受台１８０の下端部より下側の部分には、孔部５４１Ａ（図１６参照）が形成される。第二板部５４２及び第三板部５４３は、夫々、第一板部５４１の上端部及び下端部から後方に延びる正面視略矩形状の板状体である。
【０１６５】
＜４−２−３．レール部材５９０＞
レール部材５９０は、前後方向に延びる円柱体である。レール部材５９０は、孔部５３２Ａ，５４１Ａによって支持される。尚、レール部材５９０の前部には、収容部材２７２が前後方向に移動可能に支持される。
【０１６６】
＜４−２−４．支持部５８０＞
図１７に示すように、支持部５８０は、前後方向において補助部材５３０と補助部材５４０との間でレール部材５９０によって揺動可能に支持される。本変形例では、支持部５８０は受台１８０を支持する板状体である。支持部５８０は、遊挿部５８３、上延設部５８１、及び下延設部５８２を備える。遊挿部５８３は、平面視で右側が開口する略矩形枠状である。遊挿部５８３は、前後方向に隙間を挟んで対向する一対の壁部を有する。遊挿部５８３の一対の壁部のうち前側の壁部には、孔５８３Ａが形成される。遊挿部５８３の一対の壁部のうち後側の壁部には、孔５８３Ｂが形成される。孔５８３Ａ，５８３Ｂには、レール部材５９０が挿通される。尚、孔５８３Ａ，５８３Ｂの径は、レール部材５９０の径よりも僅かに大きい。従って、支持部５８０は、レール部材５９０を支点として揺動可能である。
【０１６７】
上延設部５８１は、遊挿部５８３の後部上端から上方に延び、上下方向を長手方向とする正面視略矩形状である。上延設部５８１は、上端部には受台１８０が固定される。
【０１６８】
下延設部５８２は、遊挿部５８３の前部下端から右下方に延び、さらに下方に延びる。下延設部５８２は、上下方向を長手方向とする正面視略矩形状である。下延設部５８２の上下方向の長さは、上延設部５８１の下端部から受台１８０の上端部までの距離と略等しい。下延設部５８２は、第一凹部５０２Ｃと第二凹部５０２Ｄとに挿通する。
【０１６９】
下延設部５８２の下端部には、左方に突出する摺動部５８４が設けられる。即ち、摺動部５８４は、支持部５８０のうちレール部材５９０に対して受台１８０とは反対側に設けられる。摺動部５８４は、回転部材１０６が回転することにより、第一カム面５５１（図１８参照）、第二カム面５５２（図１８参照）、及び第三カム面５５３（図１８参照）に対して摺動する。摺動部５８４は、孔５８３Ａに設けられたバネ（図示略）によって左方に付勢される。
【０１７０】
上記構成によれば、摺動部５８４が第一カム面５５１に対して摺動している場合、受台１８０は、第一対向位置に位置する。摺動部５８４が第三カム面５５３に対して摺動している場合、受台１８０は、第二対向位置に位置する。支持部５８０は、位置決め部１９０に対してチューブ搬送方向の下流側で受台１８０を、レール部材５９０を支点として揺動可能に支持する。
【０１７１】
＜４−２−５．受台揺動機構５２０が初期状態にある場合の各種部材の位置関係＞
図１８〜図２０を参照し、上記の構造を有する受台揺動機構５２０が初期状態にある場合の、カム面５５０、支持部５８０、レール部材５９０、及び受台１８０の位置関係を説明する。受台揺動機構５２０が初期状態にある場合、摺動部５８４は第一カム面５５１のうち、第二端部５５１Ｂの近傍に当接する。この時、図２０に示すように、摺動部５８４とレール部材５９０と受台１８０とを結ぶ仮想線は、上下方向と略一致する。故に、初期状態では、受台１８０は第一対向位置に位置する。
【０１７２】
＜４−２−６．受台揺動機構５２０の動作概要＞
図１８、図２０、及び図２１を参照し、受台揺動機構５２０の動作概要を説明する。受台揺動機構５２０は、摺動部５８４がカム面５５０に対して摺動することにより、レール部材５９０を支点として支持部５８０が揺動する。これにより、受台揺動機構５２０は、受台１８０を第一対向位置と第二対向位置との間で揺動可能に支持する。
【０１７３】
受台揺動機構５２０が初期状態にある場合、ＤＣモータ１０４が正方向に回転すると、カム面５５０は第一方向（矢印Ｂ１方向）に回転する。この場合、摺動部５８４は、第二端部５５１Ｂの近傍から第一端部５５１Ａ近傍まで第一カム面５５１に対して摺動する。従って、摺動部５８４の左右方向の位置は変位しないため、支持部５８０はレール部材５９０を支点として揺動しない。すなわち、この場合、受台揺動機構５２０はＤＣモータ１０４の駆動力が受台１８０に伝達することを規制し、受台１８０が第一対向位置（図２０参照）で停止する状態を維持する。
【０１７４】
受台揺動機構５２０が初期状態にある場合、ＤＣモータ１０４が逆方向に回転すると、カム面５５０は第二方向（矢印Ｂ２方向）に回転する。この場合、摺動部５８４は、第一カム面５５１、第二カム面５５２、第三カム面５５３の順に、第二端部５５１Ｂの近傍から第六端部５５３Ｂまで摺動する。従って、摺動部５８４の左右方向の位置は徐々に右方に変位する。これに伴って、支持部５８０は、レール部材５９０を支点として受台１８０を左方に揺動させる。即ち、この場合、受台揺動機構５２０はＤＣモータ１０４の駆動力が受台１８０に伝達することを許容し、受台１８０を第一対向位置（図２０参照）から第二対向位置（図２１参照）まで揺動させる。
【０１７５】
＜５．切断機構５００の切断動作＞
以下、切断機構５００の切断動作を、チューブ９のハーフカット動作と、チューブ９のフルカット動作とに分けて説明する。尚、切断刃移動機構２００による切断刃２７５の移動は上記実施形態と同様であるので簡略化する。
【０１７６】
切断動作を開始する前の切断機構５００は、初期状態にある。切断機構５００が初期状態にある場合、受台揺動機構５２０は初期状態にあり、且つ切断刃移動機構２００は初期状態にある。切断機構５００が初期状態である場合、チューブ９は、ユーザによって位置決め部１９０の底壁部１９２に位置決めされている。
【０１７７】
＜５−１．切断機構１００のハーフカット動作＞
チューブ９に対するハーフカット動作を説明する。切断機構５００が初期状態にある状態で、ＤＣモータ１０４は正方向に回転する。これにより、回転部材１０６は、第一方向（矢印Ｂ１方向）に回転する。回転部材１０６の第一方向への回転に伴って、カム面５５０及びカム部２１５は、第一方向に回転する。
【０１７８】
カム面５５０が第一方向に回転することにより、摺動部５８４は、第一カム面５５１に対して摺動する。従って、摺動部５８４の左右方向の位置が変位しないため、支持部５８０は、受台１８０を第一対向位置で停止する状態を維持する。
【０１７９】
一方、カム部２１５は、第一方向に回転することにより、初期回転位置から第一中間回転位置を経由して第一終了回転位置まで回転する。これにより、切断刃２７５は接触位置（図１１（ｃ）参照）まで移動してチューブ９をハーフカットする。
【０１８０】
尚、第一カム角度Ｘ１は、第一回転角度Ｘ２以上であり、且つ摺動部５８４は、初期状態において、第一カム面５５１のうち第二端部５５１Ｂの近傍に当接する。故に、摺動部５８４が第一カム面５５１を摺動している間に、カム部２１５は、初期回転位置から第一中間回転位置を経由して第一終了回転位置まで回転できる。即ち、摺動部５８４が第一カム面５５１を摺動している間に、リンク部材２２０は切断刃２７５を離間位置から接触位置に移動できる。
【０１８１】
以上のように、切断機構５００は、受台１８０を第一対向位置で停止する状態を維持しながら切断刃２７５を接触位置まで移動することにより、チューブ９のハーフカット動作を行う。ハーフカット動作終了後、ＤＣモータ１０４が逆方向に回転することにより、切断機構５００は初期状態に戻る。
【０１８２】
＜５−２．切断機構５００のフルカット動作＞
チューブ９に対するフルカット動作を説明する。切断機構５００が初期状態にある状態で、ＤＣモータ１０４は逆方向に回転する。これにより、回転部材１０６は、第二方向（矢印Ｂ２方向）に回転する。回転部材１０６の第二方向への回転に伴って、カム面５５０及びカム部２１５は、第二方向に回転する。
【０１８３】
カム面５５０が第二方向に回転することにより、摺動部５８４は、第一カム面５５１から第二カム面５５２を経由して第三カム面５５３まで摺動する。従って、摺動部５８４の左右方向の位置が右方へ変位する。これに伴って、支持部５８０はレール部材５９０を支点として受台１８０を左方に揺動させ、第一対向位置から第二対向位置まで揺動させる。
【０１８４】
一方、カム部２１５は、第二方向に回転することにより、初期回転位置から特定回転位置まで回転する。この場合、押圧ピン２１５Ａは、第二アーム部２３２から離間するため、リンク部材２２０は回転しない。
【０１８５】
尚、第二カム角度Ｙ１は、第二回転角度Ｙ２以下であり、且つ摺動部５８４は、初期状態において、第一カム面５５１のうち第二端部５５１Ｂの近傍に当接する。故に、カム部２１５が初期回転位置から特定回転位置まで回転する間に、摺動部５８４は、第一カム面５５１から第二カム面５５２を経由して第三カム面５５３まで摺動する。即ち、カム部２１５が初期回転位置から特定回転位置まで回転する間に、受台１８０は第一対向位置から第二対向位置まで揺動する。詳細には、カム部２１５が特定回転位置である場合、摺動部５８４は第三カム面５５３のうち第五端部５５３Ａの近傍に当接する。
【０１８６】
特定回転位置にあるカム部２１５は、第二方向にさらに回転することにより、特定回転位置から第二中間回転位置を経由して第二終了回転位置まで回転する。これにより、切断刃２７５は接触位置まで移動してチューブ９を切断する。
【０１８７】
尚、第三カム角度Ｚ１は、第三回転角度Ｚ２以上であり、且つカム部２１５が特定回転位置である場合において、摺動部５８４は、第三カム面５５３のうち第五端部５５３Ａの近傍に当接する。故に、摺動部５８４が第三カム面５５３を摺動している間に、カム部２１５は、特定回転位置から第二中間回転位置を経由して第二終了回転位置まで回転できる。即ち、摺動部５８４が第三カム面５５３を摺動している間に、リンク部材２２０は切断刃２７５を離間位置から接触位置まで移動できる。
【０１８８】
以上のように、切断機構５００は、受台１８０を第一対向位置から第二対向位置まで揺動させた後に、第二対向位置で維持しながら切断刃２７５を接触位置にすることにより、チューブ９のフルカット動作を行う。フルカット動作終了後、ＤＣモータ１０４が正方向に回転することにより、切断機構５００は初期状態に戻る。
【０１８９】
＜６．本開示の作用効果の一例＞
以上、説明したように、切断機構５００が初期状態にある状態でＤＣモータ１０４が正方向に回転すると、刃部２７５Ａは第一接触面１８１との間でチューブ９を挟み込む。これにより、切断機構５００は、チューブ９をハーフカットする。一方、切断機構５００が初期状態にある状態でＤＣモータ１０４が逆方向に回転すると、刃部２７５Ａは第二接触面１８２との間でチューブ９を挟み込む。これにより、切断機構５００は、チューブ９をフルカットする。切断機構５００は、ＤＣモータ１０４の回転方向を切り替えるだけで、チューブ９に対する切断動作をハーフカット又はフルカットに切り替えることができる。切断機構５００は、切断刃２７５、受台１８０、及び駆動源であるＤＣモータ１０４を夫々一つ有するだけで、ハーフカット及びフルカットできる。よって、切断機構５００は、簡易な構成でハーフカットとフルカットができる。即ち、印刷装置１は、切断機構５００を備えることによって、簡易な構成でハーフカットとフルカットができる。
【０１９０】
又、切断機構５００が初期状態にある状態からＤＣモータ１０４が正方向に回転する場合、カム部２１５の第一方向への回転に連動して、摺動部５８４が、第一カム面５５１に対して摺動し続ける。即ち、摺動部５８４の左右方向の位置は変位しない。これにより、受台揺動機構５２０は、ＤＣモータ１０４の駆動力が受台１８０に伝達することを規制し、受台１８０が第一対向位置で停止する状態を維持する。この場合、リンク部材２２０は、カム部２１５によって所定角度θ３回転させられることにより、切断刃２７５を離間位置から接触位置まで移動させる。
【０１９１】
尚、第一カム角度Ｘ１は、第一回転角度Ｘ２以上であり、且つ摺動部５８４は、初期状態において、第一カム面５５１のうち第二端部５５１Ｂの近傍に当接する。故に、摺動部５８４が第一カム面５５１を摺動している間に、カム部２１５は、初期回転位置から第一中間回転位置を経由して第一終了回転位置まで回転できる。即ち、摺動部５８４が第一カム面５５１を摺動している間に、リンク部材２２０は切断刃２７５を離間位置から接触位置に移動できる。これにより、切断機構５００は、安定的にハーフカット動作を実行できる。
【０１９２】
一方、切断機構５００が初期状態にある状態からＤＣモータ１０４が逆方向に回転する場合、カム部２１５の第二方向への回転に連動して、摺動部５８４が、第一カム面５５１、第二カム面５５２、第三カム面５５３の順に摺動する。即ち、摺動部５８４は右方に移動する。この場合、受台揺動機構５２０は、ＤＣモータ１０４の駆動力が受台１８０に伝達することを許容し、レール部材５９０を支点として支持部５８０が揺動することにより、受台１８０を、第一対向位置から第二対向位置まで揺動させる。摺動部５８４が第二カム面５５２に対して摺動している場合、押圧ピン２１５Ａはリンク部材２２０から離間する。このため、リンク部材２２０は、切断刃２７５を移動させない。
【０１９３】
尚、第二カム角度Ｙ１は、第二回転角度Ｙ２以下であり、且つ摺動部５８４は、初期状態において、第一カム面５５１のうち第二端部５５１Ｂの近傍に当接する。故に、カム部２１５が初期回転位置から特定回転位置まで回転する間に、摺動部５８４は、第一カム面５５１から第二カム面５５２を経由して第三カム面５５３まで摺動する。即ち、カム部２１５が初期回転位置から特定回転位置まで回転する間に、受台１８０は第一対向位置から第二対向位置まで揺動できる。
【０１９４】
リンク部材２２０は、摺動部５８４が第三カム面５５３に対して摺動し、受台１８０が第二対向位置まで揺動した後、カム部２１５によって所定角度θ３回転させられる。これにより、リンク部材２２０は、切断刃２７５を離間位置から接触位置まで移動させる。
【０１９５】
尚、第三カム角度Ｚ１は、第三回転角度Ｚ２以上であり、且つカム部２１５が特定回転位置である場合において、摺動部５８４は、第三カム面５５３のうち第五端部５５３Ａの近傍に当接する。故に、摺動部５８４が第三カム面５５３を摺動している間に、カム部２１５は、特定回転位置から第二中間回転位置を経由して第二終了回転位置まで回転できる。即ち、摺動部５８４が第三カム面５５３を摺動している間に、リンク部材２２０は切断刃２７５を離間位置から接触位置まで移動できる。これにより、切断機構５００は、安定的にフルカットを実行できる。
【０１９６】
尚、本変形例では式（１）が成立する。即ち、カム部２１５が初期回転位置から第二終了回転位置まで回転する回転角度（第二回転角度Ｙ２＋第三回転角度Ｚ２）は、第三端部５５２Ａから第六端部５５３Ｂまで第二方向に沿って至る形成角度（第二カム角度Ｙ１＋第三カム角度Ｚ１）よりも小さい。故に、切断機構５００が初期状態にある状態からＤＣモータ１０４が逆方向に回転する場合、摺動部５８４が第三カム面５５３に対して摺動している間に、確実に、リンク部材２２０は切断刃２７５を離間位置から接触位置まで移動できる。
【０１９７】
さらに、受台１８０と切断刃２７５とは、駆動源であるＤＣモータ１０４、リンク部材２２０、及びカム面５５０が設けられたカム部２１５によって夫々移動する。即ち、ＤＣモータ１０４の駆動力は、一つの部材であるカム面５５０が設けられたカム部２１５を介して受台１８０及び切断刃２７５に伝達される。故に、受台揺動機構５２０と切断刃移動機構２００とは同期しやすいため、切断機構５００はハーフカット及びフルカットを安定的に切り替えることができる。
【０１９８】
又、支持部５８０は、位置決め部１９０に対してチューブ搬送方向の下流側で受台１８０を、レール部材５９０を支点として揺動可能に支持する。故に、切断機構５００は、受台１８０が位置決め部１９０と干渉することを抑制できる。
【０１９９】
又、切断機構５００は、ＤＣモータ１０４が正方向へ回転する場合に、受台１８０が第一対向位置で停止する状態を維持し、第一対向位置にある受台１８０と刃部２７５Ａとの間でチューブ９を挟み込み切断する。故に、ハーフカットをする場合、受台１８０は刃部２７５Ａに対して移動しないため、切断機構５００は、安定的にハーフカット動作を実行できる。
【０２００】
又、レール部材５９０は、切断刃２７５が離間位置と接触位置との間で移動する場合に、収容部材２７２の前後方向への移動を案内すると共に、支持部５８０を揺動可能に支持する。故に、一つの部材であるレール部材５９０によって、切断刃２７５の移動の案内と支持部５８０の支持をと行うことができる。従って、切断機構５００は、部品を少なくできて、小型化できる。さらに、支持部５８０の揺動支点は、収容部材２７２の移動軸の延長線上に位置するため、収容部材２７２に収容された切断刃２７５の受台１８０に対する位置がずれにくくなる。
【０２０１】
＜７．その他＞
上記変形例において、切断機構５００は本発明の「切断装置」の一例である。退避溝１８７は本発明の「凹部」の一例である。ＤＣモータ１０４は本発明の「モータ」の一例である。チューブ９は本発明の「切断対象物」の一例である。レール部材５９０は本発明の「第一支点部」の一例である。リンク部材２２０は本発明の「第一回転部材」の一例である。押圧ピン２１５Ａは本発明の「押圧部」の一例である。初期回転位置は本発明の「初期位置」の一例である。第一終了回転位置は本発明の「第一終了位置」の一例である。特定回転位置は本発明の「中間位置」の一例である。第二終了回転位置は本発明の「第二終了位置」の一例である。第一方向は本発明の「第一回転方向」の一例である。第二方向は本発明の「第二回転方向」の一例である。カム部２１５は本発明の「第二回転部材」の一例である。右方向は本発明の「所定方向」の一例である。第一カム面５５１は本発明の「第一カム面」の一例である。第二カム面５５２は本発明の「第二カム面」の一例である。第三カム面５５３は本発明の「第三カム面」の一例である。カム面５５０は本発明の「カム面」の一例である。摺動部５８４は本発明の「摺動部」の一例である。チューブ搬送方向は本発明の「特定方向」の一例である。位置決め部１９０は本発明の「案内部」の一例である。印刷ヘッド６１は本発明の「印刷手段」の一例である。可動搬送ローラ６２は本発明の「供給手段」の一例である。
【０２０２】
尚、切断機構５００は上記変形例に限定されない。例えば、切断機構５００は、第二支点部６００を有する支持部５８０を備えてもよい。図２５に示すように、支持部５８０は、上延設部５８１のうち、レール部材５９０によって支持される側とは反対側の端部に第二支点部６００を備える。尚、図２５は、第一対向位置にある受台１８０、レール部材５９０、及び支持部５８０の上延設部５８１を実線で示し、第二対向位置にある受台１８０、レール部材５９０、及び支持部５８０の上延設部５８１を二点鎖線で示している。支持部５８０は受台１８０の重心Ｇよりも上方で受台１８０を揺動可能に支持する。これにより、受台１８０は、支持部５８０によってレール部材５９０を支点として第一対向位置と第二対向位置との間で揺動する場合、第二支点部６００を支点として自重によって揺動する。故に、受台１８０は、水平面に対して同じ角度を保ちやすい。これにより、刃部２７５Ａは、受台１８０が第一対向位置及び第二対向位置のいずれの位置にあっても、接触面１８３に対して同じ角度で接触しやすい。従って、切断機構５００は、チューブ９を安定的にハーフカット及びフルカットできる。
【０２０３】
受台１８０は、第一対向位置にあるときに第二接触面１８２が刃部１７５Ａに対向し、第二対向位置にあるときに第一接触面１８１が刃部１７５Ａに対向してもよい。この場合、切断機構５００は、フルカット動作を実行する場合、受台１８０を第一対向位置で停止する状態を維持しながら切断刃２７５を離間位置から接触位置に移動する。故に、切断機構５００は、安定的にフルカット動作を実行できる。
【０２０４】
切断刃移動機構２００及び受台揺動機構５２０の駆動源は、ＤＣモータ１０４に限定されず、例えばステッピングモータでもよい。
【符号の説明】
【０２０５】
１        印刷装置
９        チューブ
６１      印刷ヘッド
６２      可動搬送ローラ
１０４    ＤＣモータ
１６０    カム部
１８０    受台
１８３    接触面
１９０    位置決め部
２１５    カム部
２１５Ａ  押圧ピン
２２０    リンク部材
２７５    切断刃
５００    切断機構
５２０    受台揺動機構
５５０    カム面
５８０    支持部
５８４    摺動部
５９０    レール部材
６００    第二支点部
Ｇ        重心
Ｘ１      第一カム角度
Ｘ２      第一回転角度
Ｙ１      第二カム角度
Ｙ２      第二回転角度
Ｚ１      第三カム角度
Ｚ２      第三回転角度
θ３      所定角度
【図１】
0006269551.tif 000002
【図２】
0006269551.tif 000003
【図３】
0006269551.tif 000004
【図４】
0006269551.tif 000005
【図５】
0006269551.tif 000006
【図６】
0006269551.tif 000007
【図７】
0006269551.tif 000008
【図８】
0006269551.tif 000009
【図９】
0006269551.tif 000010
【図１０】
0006269551.tif 000011
【図１１】
0006269551.tif 000012
【図１２】
0006269551.tif 000013
【図１３】
0006269551.tif 000014
【図１４】
0006269551.tif 000015
【図１５】
0006269551.tif 000016
【図１６】
0006269551.tif 000017
【図１７】
0006269551.tif 000018
【図１８】
0006269551.tif 000019
【図１９】
0006269551.tif 000020
【図２０】
0006269551.tif 000021
【図２１】
0006269551.tif 000022
【図２２】
0006269551.tif 000023
【図２３】
0006269551.tif 000024
【図２４】
0006269551.tif 000025
【図２５】
0006269551.tif 000026